(57)【特許請求の範囲】
【請求項１】
所定の周波数帯域幅の信号を複数生成する信号生成部と、
チャンネルの端に近い周波数帯域を用いて送信される前記信号の電力が前記チャンネルの中央に近い周波数帯域を用いて送信される前記信号の電力より小さくなるように、それぞれの前記信号の電力を、前記信号単位で調整する電力調整部と、
前記信号の電力に関する情報である電力情報として、前記信号の電力の情報と、周波数軸上で上隣の周波数帯域を用いて送信される上隣接信号の電力の情報とを含む前記電力情報、前記信号の電力の情報と、前記信号の電力と周波数軸上で上隣の周波数帯域を用いて送信される上隣接信号の電力の差を示す情報とを含む前記電力情報、前記信号の電力と、周波数軸上で上隣の周波数帯域を用いて送信される上隣接信号の電力との差を示す情報を含む前記電力情報、または、前記信号の電力と、周波数軸上で上隣の周波数帯域を用いて送信される上隣接信号の電力とに差があるか否かを示す情報を含む前記電力情報を前記信号毎に生成する電力情報生成部と、
電力が調整された、当該信号の電力に関する前記電力情報を含む前記信号を、前記チャンネルを用いて連結送信する送信部と
を備える送信装置。
【請求項２】
前記所定の周波数帯域幅はARIBで規定される１セグメントであり、
前記信号生成部は、複数の前記信号として、それぞれ異なるトランスポートストリームを伝送する複数のOFDMセグメントの信号を生成する
請求項１に記載の送信装置。
【請求項３】
所定の周波数帯域幅の信号を複数生成し、
チャンネルの端に近い周波数帯域を用いて送信される前記信号の電力が前記チャンネルの中央に近い周波数帯域を用いて送信される前記信号の電力より小さくなるように、それぞれの前記信号の電力を、前記信号単位で調整し、
前記信号の電力に関する情報である電力情報として、前記信号の電力の情報と、周波数軸上で上隣の周波数帯域を用いて送信される上隣接信号の電力の情報とを含む前記電力情報、前記信号の電力の情報と、前記信号の電力と周波数軸上で上隣の周波数帯域を用いて送信される上隣接信号の電力の差を示す情報とを含む前記電力情報、前記信号の電力と、周波数軸上で上隣の周波数帯域を用いて送信される上隣接信号の電力との差を示す情報を含む前記電力情報、または、前記信号の電力と、周波数軸上で上隣の周波数帯域を用いて送信される上隣接信号の電力とに差があるか否かを示す情報を含む前記電力情報を前記信号毎に生成し、
電力を調整した、当該信号の電力に関する前記電力情報を含む前記信号を、前記チャンネルを用いて連結送信する
ステップを含む送信方法。
【請求項４】
所定の周波数帯域幅の信号を複数生成し、
チャンネルの端に近い周波数帯域を用いて送信される前記信号の電力が前記チャンネルの中央に近い周波数帯域を用いて送信される前記信号の電力より小さくなるように、それぞれの前記信号の電力を、前記信号単位で調整し、
前記信号の電力に関する情報である電力情報として、前記信号の電力の情報と、周波数軸上で上隣の周波数帯域を用いて送信される上隣接信号の電力の情報とを含む前記電力情報、前記信号の電力の情報と、前記信号の電力と周波数軸上で上隣の周波数帯域を用いて送信される上隣接信号の電力の差を示す情報とを含む前記電力情報、前記信号の電力と、周波数軸上で上隣の周波数帯域を用いて送信される上隣接信号の電力との差を示す情報を含む前記電力情報、または、前記信号の電力と、周波数軸上で上隣の周波数帯域を用いて送信される上隣接信号の電力とに差があるか否かを示す情報を含む前記電力情報を前記信号毎に生成し、
電力を調整した、当該信号の電力に関する前記電力情報を含む前記信号を、前記チャンネルを用いて連結送信する
ステップを含む処理をコンピュータに実行させるプログラム。
【請求項５】
チャンネルの端に近い周波数帯域を用いて送信される所定の周波数帯域幅の信号の電力が前記チャンネルの中央に近い周波数帯域を用いて送信される前記信号の電力より小さくなるようにそれぞれの前記信号の電力が調整され、前記チャンネルを用いて連結送信された複数の前記信号のうちの所定の前記信号を受信する受信部と、
受信された前記信号と、周波数軸上で上隣の周波数帯域を用いて送信された上隣接信号とのうちの少なくとも一方の電力を、電力調整前の電力に補正する電力補正部と、
電力補正後の信号を処理する処理部と
を備える受信装置。
【請求項６】
前記信号の電力が前記信号単位で調整されている場合に前記信号とともに送信されてくる、前記信号の電力に関する情報である電力情報を前記受信部により受信された前記信号から取得する電力情報取得部をさらに備える
請求項５に記載の受信装置。
【請求項７】
前記信号の電力が、ガードインターバル無しに連結した複数の前記信号の波形整形によって調整されている場合に前記信号とともに送信されてくる、前記波形整形に関する情報である波形整形情報を前記受信部により受信された前記信号から取得する電力情報取得部をさらに備える
請求項５に記載の受信装置。
【請求項８】
送信側における電力調整による前記信号の電力の減衰量に応じて、前記処理部による復調によって得られたデータの信頼性を表す情報を補正する制御部をさらに備える
請求項５に記載の受信装置。
【請求項９】
チャンネルの端に近い周波数帯域を用いて送信される所定の周波数帯域幅の信号の電力が前記チャンネルの中央に近い周波数帯域を用いて送信される前記信号の電力より小さくなるようにそれぞれの前記信号の電力が調整され、前記チャンネルを用いて連結送信された複数の前記信号のうちの所定の前記信号を受信し、
受信した前記信号と、周波数軸上で上隣の周波数帯域を用いて送信された上隣接信号とのうちの少なくとも一方の電力を、電力調整前の電力に補正し、
電力補正後の信号を処理する
ステップを含む受信方法。
【請求項１０】
チャンネルの端に近い周波数帯域を用いて送信される所定の周波数帯域幅の信号の電力が前記チャンネルの中央に近い周波数帯域を用いて送信される前記信号の電力より小さくなるようにそれぞれの前記信号の電力が調整され、前記チャンネルを用いて連結送信された複数の前記信号のうちの所定の前記信号を受信し、
受信した前記信号と、周波数軸上で上隣の周波数帯域を用いて送信された上隣接信号とのうちの少なくとも一方の電力を、電力調整前の電力に補正し、
電力補正後の信号を処理する
ステップを含む処理をコンピュータに実行させるプログラム。
【発明の詳細な説明】
【技術分野】
【０００１】
本技術は、送信装置、送信方法、受信装置、受信方法、およびプログラムに関し、特に、連結送信を行う場合の隣接チャンネルに対する与干渉を低減することができるようにした送信装置、送信方法、受信装置、受信方法、およびプログラムに関する。
【背景技術】
【０００２】
近年、放送用の周波数帯域の再編などに伴い、いわゆるホワイトスペースの有効活用について議論が行われている。ホワイトスペースは、放送用の周波数帯域のうち、地理的な条件や時間的な条件などによって他の目的にも利用可能な周波数帯域をいう。
【０００３】
ホワイトスペースを使って、例えばエリア限定の放送システムであるエリア型放送システムの実現が提案されている。
【０００４】
図１は、エリア型放送システムにおける周波数帯域の利用形態を示す図である。図１に示すように、周波数帯域の利用形態には、フルセグ型、Null付ワンセグ型、ワンセグ型、束セグ型、およびバラセグ型の５つの形態がある。
【０００５】
例えば束セグ型は、地上デジタルテレビジョン放送の１チャンネル分の周波数帯域（６MHz、１３セグメント）からワンセグ部分だけを取り出し、他のチャンネルのワンセグ部分などと束ねて、１チャンネル分の周波数帯域で放送を行う形態である。
【０００６】
また、バラセグ型は、ワンセグ型と同じ468kHzの周波数帯域幅の中心周波数（セグメント位置）をずらして放送を行う形態である。
【先行技術文献】
【非特許文献】
【０００７】
【非特許文献１】ARIB STD-B46  移動体・携帯端末向け地上マルチメディア放送のセグメント連結伝送方式
【非特許文献２】ARIB STD-B31  地上デジタルテレビジョン放送の伝送方式
【非特許文献３】ARIB STD-B29  地上デジタル音声放送の伝送方式
【非特許文献４】ARIB STD-B10  デジタル放送に使用する番組配列情報
【発明の概要】
【発明が解決しようとする課題】
【０００８】
ところで、ARIB STD-B46には、異なる放送チャンネルのOFDMセグメントなどの複数の単位送信波をガードバンドなしに連結して同一送信点より送信する連結送信が規定されている。
【０００９】
連結送信を使って例えば束セグ型の放送を行った場合、特に、周波数軸上で上端のセグメントと下端のセグメントの信号が隣接するチャンネルの信号に干渉を与えてしまうことがある。
【００１０】
本技術はこのような状況に鑑みてなされたものであり、連結送信を行う場合の隣接チャンネルに対する与干渉を低減することができるようにするものである。
【課題を解決するための手段】
【００１１】
本技術の一側面の送信装置は、所定の周波数帯域幅の信号を複数生成する信号生成部と、チャンネルの端に近い周波数帯域を用いて送信される前記信号の電力が前記チャンネルの中央に近い周波数帯域を用いて送信される前記信号の電力より小さくなるように、それぞれの前記信号の電力を、前記信号単位で調整する電力調整部と、前記信号の電力に関する情報である電力情報として、前記信号の電力の情報と、周波数軸上で上隣の周波数帯域を用いて送信される上隣接信号の電力の情報とを含む前記電力情報、前記信号の電力の情報と、前記信号の電力と周波数軸上で上隣の周波数帯域を用いて送信される上隣接信号の電力の差を示す情報とを含む前記電力情報、前記信号の電力と、周波数軸上で上隣の周波数帯域を用いて送信される上隣接信号の電力との差を示す情報を含む前記電力情報、または、前記信号の電力と、周波数軸上で上隣の周波数帯域を用いて送信される上隣接信号の電力とに差があるか否かを示す情報を含む前記電力情報を前記信号毎に生成する電力情報生成部と、電力が調整された、当該信号の電力に関する前記電力情報を含む前記信号を、前記チャンネルを用いて連結送信する送信部とを備える。
【００２２】
前記所定の周波数帯域幅はARIBで規定される１セグメントであるようにすることができる。この場合、前記信号生成部には、複数の前記信号として、それぞれ異なるトランスポートストリームを伝送する複数のOFDMセグメントの信号を生成させることができる。
【００２３】
本技術の他の側面の受信装置は、チャンネルの端に近い周波数帯域を用いて送信される所定の周波数帯域幅の信号の電力が前記チャンネルの中央に近い周波数帯域を用いて送信される前記信号の電力より小さくなるようにそれぞれの前記信号の電力が調整され、前記チャンネルを用いて連結送信された複数の前記信号のうちの所定の前記信号を受信する受信部と、受信された前記信号と、周波数軸上で上隣の周波数帯域を用いて送信された上隣接信号とのうちの少なくとも一方の電力を、電力調整前の電力に補正する電力補正部と、電力補正後の信号を処理する処理部とを備える。
【００２４】
前記信号の電力が前記信号単位で調整されている場合に前記信号とともに送信されてくる、前記信号の電力に関する情報である電力情報を前記受信部により受信された前記信号から取得する電力情報取得部をさらに設けることができる。
【００２５】
前記信号の電力が、ガードインターバル無しに連結した複数の前記信号の波形整形によって調整されている場合に前記信号とともに送信されてくる、前記波形整形に関する情報である波形整形情報を前記受信部により受信された前記信号から取得する電力情報取得部をさらに設けることができる。
【００２６】
送信側における電力調整による前記信号の電力の減衰量に応じて、前記処理部による復調によって得られたデータの信頼性を表す情報を補正する制御部をさらに設けることができる。
【００２７】
本技術の一側面においては、所定の周波数帯域幅の信号が複数生成され、チャンネルの端に近い周波数帯域を用いて送信される前記信号の電力が前記チャンネルの中央に近い周波数帯域を用いて送信される前記信号の電力より小さくなるように、それぞれの前記信号の電力が、前記信号単位で調整され、前記信号の電力に関する情報である電力情報として、前記信号の電力の情報と、周波数軸上で上隣の周波数帯域を用いて送信される上隣接信号の電力の情報とを含む前記電力情報、前記信号の電力の情報と、前記信号の電力と周波数軸上で上隣の周波数帯域を用いて送信される上隣接信号の電力の差を示す情報とを含む前記電力情報、前記信号の電力と、周波数軸上で上隣の周波数帯域を用いて送信される上隣接信号の電力との差を示す情報を含む前記電力情報、または、前記信号の電力と、周波数軸上で上隣の周波数帯域を用いて送信される上隣接信号の電力とに差があるか否かを示す情報を含む前記電力情報が前記信号毎に生成される。電力が調整された、当該信号の電力に関する前記電力情報を含む前記信号が、前記チャンネルを用いて連結送信される。
【００２８】
本技術の他の側面においては、チャンネルの端に近い周波数帯域を用いて送信される所定の周波数帯域幅の信号の電力が前記チャンネルの中央に近い周波数帯域を用いて送信される前記信号の電力より小さくなるようにそれぞれの前記信号の電力が調整され、前記チャンネルを用いて連結送信された複数の前記信号のうちの所定の前記信号が受信され、受信された前記信号と、周波数軸上で上隣の周波数帯域を用いて送信された上隣接信号とのうちの少なくとも一方の電力が、電力調整前の電力に補正され、電力補正後の信号が処理される。
【発明の効果】
【００２９】
本技術によれば、連結送信を行う場合の隣接チャンネルに対する与干渉を低減することができる。
【図面の簡単な説明】
【００３０】
【図１】エリア型放送システムにおける周波数帯域の利用形態を示す図である。
【図２】本技術の一実施形態に係る放送システムの構成例を示す図である。
【図３】送信装置が送信するOFDM信号の例を示す図である。
【図４】CPキャリアについて説明する図である。
【図５】送信装置の構成例を示すブロック図である。
【図６】エリア型分配システム記述子のデータ構造の例を示す図である。
【図７】guard_intervalの値の意味を示す図である。
【図８】transmission_modeの値の意味を示す図である。
【図９】transmission_powerの値の意味を示す図である。
【図１０】エリア型分配システム記述子のデータ構造の他の例を示す図である。
【図１１】adjacent_transmission_power_deltaの値の意味を示す図である。
【図１２】連結送信記述子のデータ構造の例を示す図である。
【図１３】additional_connected_transmission_infoの値の意味の例を示す図である。
【図１４】図５のOFDMフレーム生成部の構成例を示すブロック図である。
【図１５】OFDMセグメントの構成を示す図である。
【図１６】受信装置の構成例を示すブロック図である。
【図１７】図１６の復調部の構成例を示すブロック図である。
【図１８】送信装置の送信処理Ａについて説明するフローチャートである。
【図１９】受信装置の受信処理Ａ１について説明するフローチャートである。
【図２０】図１９のステップＳ２２，Ｓ２７において行われる復調処理＃１について説明するフローチャートである。
【図２１】受信装置の受信処理Ａ２について説明するフローチャートである。
【図２２】図２１のステップＳ６９において行われる復調処理＃２について説明するフローチャートである。
【図２３】受信装置の受信処理Ａ３について説明するフローチャートである。
【図２４】図２３のステップＳ１０７において行われる復調処理＃３について説明するフローチャートである。
【図２５】送信装置の構成例を示すブロック図である。
【図２６】TMCC情報のビット割り当てを示す図である。
【図２７】TMCC情報のB110の１ビットの意味の例を示す図である。
【図２８】TMCC情報のB110の１ビットの意味の他の例を示す図である。
【図２９】TMCC情報のB110〜B113の４ビットの意味の例を示す図である。
【図３０】図２５の送信装置の送信処理Ｂについて説明するフローチャートである。
【図３１】図３０のステップＳ２０３において行われるOFDMフレーム生成処理について説明するフローチャートである。
【図３２】受信装置の受信処理Ｂ１について説明するフローチャートである。
【図３３】受信装置の受信処理Ｂ２について説明するフローチャートである。
【図３４】受信装置の受信処理Ｂ３について説明するフローチャートである。
【図３５】送信装置が送信するOFDM信号の例を示す図である。
【図３６】送信装置の構成例を示すブロック図である。
【図３７】エリア型分配システム記述子のデータ構造の例を示す図である。
【図３８】transmission_filterの値の意味を示す図である。
【図３９】連結送信記述子のデータ構造の例を示す図である。
【図４０】図３６の波形整形部の構成例を示すブロック図である。
【図４１】波形整形フィルタの特性の例を示す図である。
【図４２】受信装置の構成例を示すブロック図である。
【図４３】図４２の復調部の構成例を示すブロック図である。
【図４４】送信装置の送信処理Ｃについて説明するフローチャートである。
【図４５】図４２の受信装置の受信処理Ｃ１について説明するフローチャートである。
【図４６】図４５のステップＳ３２２，Ｓ３２７において行われる復調処理＃１１について説明するフローチャートである。
【図４７】受信装置の受信処理Ｃ２について説明するフローチャートである。
【図４８】図４７のステップＳ３６９において行われる復調処理＃１２について説明するフローチャートである。
【図４９】送信装置の構成例を示すブロック図である。
【図５０】TMCC情報のB110の１ビットの意味の例を示す図である。
【図５１】TMCC情報のB110とB111の２ビットの意味の例を示す図である。
【図５２】図４９の送信装置１の送信処理Ｄについて説明するフローチャートである。
【図５３】図５２のステップＳ４０３において行われるOFDMフレーム生成処理について説明するフローチャートである。
【図５４】受信装置の受信処理Ｄ１について説明するフローチャートである。
【図５５】コンピュータの構成例を示すブロック図である。
【発明を実施するための形態】
【００３１】
以下、本技術を実施するための形態について説明する。説明は以下の順序で行う。
１．第１の実施の形態（セグメント単位で信号の電力を調整する例）
１−１．各セグメントの信号の電力をPSI/SIによって通知する例
１−２．各セグメントの信号の電力をTMCC情報によって通知する例
２．第２の実施の形態（波形整形によって信号の電力を調整する例）
２−１．波形整形の情報をPSI/SIによって通知する例
２−２．波形整形の情報をTMCC情報によって通知する例
【００３２】
＜１．第１の実施の形態（セグメント単位で信号の電力を調整する例）＞
［送信信号について］
図２は、本技術の一実施形態に係る放送システムの構成例を示す図である。図２の放送システムは送信装置１と受信装置２から構成される。
【００３３】
送信装置１は、束セグ型またはバラセグ型のエリア型放送を連結送信により行う装置である。送信装置１に対しては、各セグメントを使って送信するデータが入力される。
【００３４】
送信装置１は、入力されたデータに基づいてARIB STD-B31に準拠した１３セグメント形式のOFDM(Orthogonal Frequency Division Multiplex)セグメントの信号を生成し、連結送信によって送信する。上述したように、連結送信は複数の単位送信波をガードバンドなしに連結して同一送信点より送信する方式である。
【００３５】
受信装置２は、ワンセグ放送の受信が可能な携帯電話機などの端末である。受信装置２は、送信装置１から送信されたOFDM信号を受信し、復調処理、復号処理などの各種の処理を施すことによって所定の１セグメントによって伝送されたデータを取得する。受信装置２は、取得したデータをデコードし、ビデオデータやオーディオデータなどを出力する。
【００３６】
図３Ａは、送信装置１が送信するOFDM信号の例を示す図である。
【００３７】
図３Ａの横軸は周波数を表す。セグメントNo.0がチャンネル内で周波数が最も低いセグメントであり、セグメントNo.12が同じチャンネル内で周波数が最も高いセグメントである。縦方向は信号の送信電力を表す。
【００３８】
図３Ａに示すように、送信装置１においては、信号の電力がセグメント単位で調整される。図３Ａの例においては、セグメントNo.6を中心とするセグメントNo.3〜No.9の信号の電力は電力P0である。また、セグメントNo.3の下隣のセグメントであるセグメントNo.2とセグメントNo.9の上隣のセグメントであるセグメントNo.10の信号の電力は、電力P0より小さい電力P1である。セグメントNo.2の下隣のセグメントであるセグメントNo.1とセグメントNo.10の上隣のセグメントであるセグメントNo.11の信号の電力は、電力P1より小さい電力P2である。下端のセグメントであるセグメントNo.0と上端のセグメントであるセグメントNo.12の信号の電力は、電力P2より小さい電力P3である。
【００３９】
このように、送信装置１においては、チャンネルの中央に近いセグメントの信号の電力に較べて、チャンネルの端に近いセグメントの信号の電力を小さくするように各セグメントの信号の電力が調整される。
【００４０】
これにより、図３Ｂに示すように全てのセグメントの信号を同じ電力で送信した場合と較べて、隣接するチャンネルの信号に与える干渉を抑えることが可能になる。図３Ａの例の場合、主に、セグメントNo.0の信号が下隣接チャンネルの上端のセグメントの信号に与える干渉を抑えることが可能になる。また、セグメントNo.12の信号が上隣接チャンネルの下端のセグメントの信号に与える干渉を抑えることが可能になる。
【００４１】
セグメントNo.12の上隣接セグメントの下端のキャリアの信号は、受信装置２においてセグメントNo.12の信号の等化時にCP(Continual Pilot)として用いられる。図４に示すように、ARIB STD-B29 3.13.2においては、受信対象とするセグメントの上隣接セグメントの下端のキャリアを、受信対象のセグメントのCPキャリアとして準用することが規定されている。連結送信時、連結した周波数帯域全体の上端にはCPキャリアが１本追加される。
【００４２】
このように、受信装置２においては、受信対象のセグメントの上隣接セグメントの下端のキャリアの信号が等化に用いられる。送信側においてセグメント単位で電力の調整が行われているから、受信した信号を用いてそのまま等化を行った場合、受信装置２は等化を正しく行うことができないことがある。送信装置１から受信装置２に対しては、電力の補正に用いるために各セグメントの信号の電力に関する情報である電力情報が通知される。
【００４３】
電力情報の通知方法には、PSI/SI(Program Specific Information/Service Information)を用いる方法と、TMCC(Transmission Multiplexing Configuration Control)情報を用いる方法がある。はじめに、PSI/SIを用いる方法について説明する。
【００４４】
＜１−１．各セグメントの信号の電力をPSI/SIによって通知する例＞
［送信装置１の構成］
図５は、送信装置１の構成例を示すブロック図である。送信装置１は、TS生成部１１−０乃至１１−１２、OFDMフレーム生成部１２−０乃至１２−１２、電力調整部１３、IFFT入力割付部１４、IFFT演算部１５、GI付加部１６、送信部１７、電力制御部１８、およびPSI/SI生成部１９から構成される。
【００４５】
TS生成部１１−０乃至１１−１２は、それぞれ、外部から入力されたAVデータと、PSI/SI生成部１９から供給されたPSI/SIを多重化することによってTS(Transport Stream)を生成する。PSI/SI生成部１９から供給されるPSI/SIには、PAT(Program Association Table)、PMT(Program Map Table)、NIT(Network Information Table)などが含まれる。
【００４６】
PATは、TS内に含まれるプログラムの一覧をPMTのPIDによって示す情報である。PMTは、各プログラムの画像や音声などを格納するパケットのPIDを示す情報である。NITは、チャンネル番号、変調方式、ガードインターバルなどの、ネットワークに関する情報である。電力情報は、PSI/SIのうちの例えばNITに含まれる。
【００４７】
TS生成部１１−０乃至１１−１２は、生成したTS0乃至TS12をそれぞれOFDMフレーム生成部１２−０乃至１２−１２に出力する。例えばTS0に多重化されているPSI/SIのNITにはセグメントNo.0の信号の電力情報が含まれている。
【００４８】
OFDMフレーム生成部１２−０乃至１２−１２は、それぞれ、TS0乃至TS12のデータをセグメントNo.0乃至No.12によって伝送するためのOFDMフレームを生成し、電力調整部１３−１乃至１３−１２に出力する。
【００４９】
電力調整部１３の電力調整部１３−０乃至１３−１２は、それぞれ、OFDMフレーム生成部１２−０乃至１２−１２から供給されたOFDMフレームの信号の電力を電力制御部１８による制御に従って調整する。
【００５０】
送信装置１が送信するOFDM信号が図３Ａに示す信号である場合、例えば電力調整部１３−０は、OFDMフレーム生成部１２−０から供給されたセグメントNo.0のOFDMフレームの信号の電力を電力P3になるように調整する。また、電力調整部１３−１は、OFDMフレーム生成部１２−１から供給されたセグメントNo.1のOFDMフレームの信号の電力を電力P2になるように調整する。電力調整部１３−０乃至１３−１２は、それぞれ、電力調整後の各セグメントのOFDMフレームの信号をIFFT入力割付部１４に出力する。
【００５１】
IFFT入力割付部１４は、電力調整部１３−０乃至１３−１２から供給された各セグメントのOFDMフレームの信号をキャリアに割り付け、IFFT演算部１５に出力する。
【００５２】
IFFT演算部１５は、IFFT入力割付部１４から供給された信号に対して一括してIFFT演算を施し、時間域のOFDM信号を生成する。IFFT演算部１５は、生成したOFDM信号をGI付加部１６に出力する。
【００５３】
GI付加部１６は、IFFT演算部１５から供給されたOFDM信号の各有効シンボルの先頭に、各有効シンボルの後半の一部をコピーすることによってGI(Guard Interval)を付加し、OFDMシンボルからなるOFDM信号を生成する。GI付加部１６は、生成したOFDM信号を送信部１７に出力する。
【００５４】
送信部１７は、GI付加部１６から供給されたOFDM信号のアップコンバートなどを行い、アンテナから送信する。
【００５５】
電力制御部１８は、各セグメントの信号の電力を示す情報を電力調整部１３とPSI/SI生成部１９に出力する。
【００５６】
PSI/SI生成部１９は、各セグメントのTS用のPSI/SIを生成し、TS生成部１１−０乃至１１−１２に出力する。例えばTS0に多重化されるPSI/SIはTS生成部１１−０に供給され、TS1に多重化されるPSI/SIはTS生成部１１−１に供給される。
【００５７】
［NITのエリア型分配システム記述子を用いた例］
電力情報を通知するために例えばエリア型分配システム記述子(area delivery system descriptor)が用いられる。なお、エリア型分配システム記述子の名称は、エリア型放送システムにおいて電力情報を通知するための情報の名称として仮に用いる名称である。記述子の名称は適宜変更可能である。
【００５８】
エリア型分配システム記述子は、地上分配システム記述子(Terrestrial delivery system descriptor)と同様にNITに含まれる。地上分配システム記述子は地上伝送路の物理的条件を示す情報であり、ARIB STD-B10 4.9版の6.2.31に規定される。
【００５９】
図６は、エリア型分配システム記述子のデータ構造の例を示す図である。
【００６０】
area_codeは12ビットのフィールドであり、サービスエリアのコードを示す。
【００６１】
guard_interval（ガードインターバル）は2ビットのフィールドであり、ガードインターバル長を示す。図７はguard_intervalの値の意味を示す図である。例えばguard_intervalが00であることは、ガードインターバル長が1/32であることを示す。
【００６２】
transmission_modeは（モード情報）は2ビットのフィールドであり、伝送モードを示す。図８はtransmission_modeの値の意味を示す図である。transmission_modeが00であることは伝送モードがMode 1であることを示し、01であることは伝送モードがMode 2であることを示す。また、transmission_modeが10であることは伝送モードがMode 3であることを示す。ARIB STD-B10においては、OFDMキャリア間隔の異なる３つの伝送モードが規定されている。
【００６３】
transmission_power（当該セグメント送信電力）は4ビットのフィールドであり、基準電力に対する当該セグメントの信号の電力を示す。例えばセグメントNo.0によって伝送されるTS0のNITに含まれるエリア型分配システム記述子のtransmission_powerは、当該セグメントであるセグメントNo.0の信号の、基準電力に対する電力を示す。
【００６４】
図９は、transmission_powerの値の意味を示す図である。
【００６５】
transmission_powerが1111であることは、基準電力に対する当該セグメントの信号の電力が0dBであることを示し、1110であることは、基準電力に対する当該セグメントの信号の電力が-3dBであることを示す。transmission_powerが1101であることは、基準電力に対する当該セグメントの信号の電力が-6dBであることを示し、1100であることは、基準電力に対する当該セグメントの信号の電力が-9dBであることを示す。transmission_powerの他の値にも、基準電力に対する当該セグメントの信号の電力を示すdB値がそれぞれ割り当てられる。
【００６６】
図６のadjacent_transmission_power（上隣接セグメント送信電力）は4ビットのフィールドであり、基準電力に対する上隣接セグメントの信号の電力を示す。例えばセグメントNo.0によって伝送されるTS0のNITに含まれるエリア型分配システム記述子のadjacent_transmission_powerは、セグメントNo.1の信号の、基準電力に対する送信電力を示す。
【００６７】
adjacent_transmission_powerの各値には、図９に示すtransmission_powerの各値の意味と同じ意味が割り当てられる。すなわち、adjacent_transmission_powerが1111であることは、基準電力に対する上隣接セグメントの信号の電力が0dBであることを示す。adjacent_transmission_powerが1110であることは、基準電力に対する上隣接セグメントの信号の電力が-3dBであることを示す。adjacent_transmission_powerの他の値にも、基準電力に対する上隣接セグメントの信号の電力を示すdB値がそれぞれ割り当てられる。
【００６８】
図６のfrequency（周波数）は16ビットのフィールドであり、当該セグメントの中心周波数を示す。周波数単位は、地上デジタル放送方式のチューニングステップと同じ1/7MHzである。MFNの場合は使用周波数が複数列記される。 
【００６９】
受信装置２は、電力情報としてNITに含まれるエリア型分配システム記述子のtransmission_powerに基づいて当該セグメントの信号の電力を特定することができる。また、受信装置２は、adjacent_transmission_powerに基づいて上隣接セグメントの信号の電力を特定することができる。
【００７０】
図１０は、エリア型分配システム記述子のデータ構造の他の例を示す図である。
【００７１】
図１０に示すデータ構造は、adjacent_transmission_powerに代えてadjacent_transmission_power_deltaが含まれている点で図６のデータ構造と異なる。重複する説明については省略する。
【００７２】
adjacent_transmission_power_delta（上隣接セグメント送信電力との差）は4ビットのフィールドである。adjacent_transmission_power_deltaは、上隣接セグメントに対する当該セグメントの信号の電力、すなわち、当該セグメントの信号の電力と上隣接セグメントの信号の電力との差を示す。例えばセグメントNo.0によって伝送されるTS0のNITに含まれるエリア型分配システム記述子のadjacent_transmission_power_deltaは、セグメントNo.1の信号の電力に対するセグメントNo.0の信号の電力を示す。
【００７３】
図１１は、adjacent_transmission_power_deltaの値の意味を示す図である。
【００７４】
adjacent_transmission_power_deltaが1111であることは、上隣接セグメントの信号の電力に対する当該セグメントの信号の電力が0dBであることを示す。adjacent_transmission_power_deltaが0001であることは、上隣接セグメントの信号の電力に対する当該セグメントの信号の電力が3dBであることを示す。adjacent_transmission_power_deltaが0010であることは、上隣接セグメントの信号の電力に対する当該セグメントの信号の電力が6dBであることを示す。adjacent_transmission_power_deltaの他の値にも、上隣接セグメントの信号の電力に対する当該セグメントの信号の電力を示すdB値がそれぞれ割り当てられる。
【００７５】
受信装置２は、電力情報としてNITに含まれるエリア型分配システム記述子のtransmission_powerに基づいて当該セグメントの信号の電力を特定することができる。また、受信装置２は、当該セグメントの信号の電力と、adjacent_transmission_power_deltaが示す電力とに基づいて、上隣接セグメントの信号の電力を特定することができる。
【００７６】
［NITの連結送信記述子を用いた例］
電力情報を通知するために連結送信記述子(connected_transmission_descriptor)のadditional_connected_transmission_infoが用いられるようにしてもよい。
【００７７】
連結送信記述子は、連結送信時における地上伝送路の物理的条件を示す情報であり、ARIB STD-B10 4.9版の6.2.41に規定される。
【００７８】
図１２は、連結送信記述子のデータ構造の例を示す図である。
【００７９】
connected_transmission_group_id（連結送信グループ識別）は16ビットのフィールドであり、連結送信グループを識別するラベルとなる情報である。
【００８０】
segment_type（セグメント形式種別）は2ビットのフィールドであり、セグメント形式の種別を示す。
【００８１】
modulation_type_A（変調方式種別A）は2ビットのフィールドであり、A階層の変調方式の種別を示す。変調方式には差動変調と同期変調がある。
【００８２】
modulation_type_B（変調方式種別B）は2ビットのフィールドであり、B階層の変調方式の種別を示す。
【００８３】
modulation_type_C（変調方式種別C）は2ビットのフィールドであり、C階層の変調方式の種別を示す。
【００８４】
additional_connected_transmission_infoは8ビットのフィールドであり、信号の電力を通知するための電力情報として用いられる。
【００８５】
図１３Ａは、additional_connected_transmission_infoの値の意味の第１の例を示す図である。この例においては、additional_connected_transmission_infoの上位４ビットは基準電力に対する当該セグメントの信号の電力を示し、下位４ビットは基準電力に対する上隣接セグメントの信号の電力を示す。
【００８６】
上位４ビットの各値には、図９に示すtransmission_powerの各値の意味と同じ意味が割り当てられる。additional_connected_transmission_infoの上位４ビットが1111であることは、基準電力に対する当該セグメントの信号の電力が0dBであることを示す。また、上位４ビットが1110であることは、基準電力に対する当該セグメントの信号の電力が-3dBであることを示す。
【００８７】
下位４ビットの各値にも、図９に示すtransmission_powerの各値の意味と同じ意味が割り当てられる。additional_connected_transmission_infoの下位４ビットが1111であることは、基準電力に対する上隣接セグメントの信号の電力が0dBであることを示す。また、下位４ビットが1110であることは、基準電力に対する上隣接セグメントの信号の電力が-3dBであることを示す。
【００８８】
図１３Ｂは、additional_connected_transmission_infoの値の意味の第２の例を示す図である。この例においては、additional_connected_transmission_infoの上位４ビットは基準電力に対する当該セグメントの信号の電力を示し、下位４ビットは上隣接セグメントに対する当該セグメントの信号の電力を示す。
【００８９】
上位４ビットの各値には、図９に示すtransmission_powerの各値の意味と同じ意味が割り当てられる。
【００９０】
また、下位４ビットの各値には、図１１に示すadjacent_transmission_power_deltaの各値の意味と同じ意味が割り当てられる。すなわち、additional_connected_transmission_infoの下位４ビットが1111であることは、上隣接セグメントの信号の電力に対する当該セグメントの信号の電力が0dBであることを示す。また、下位４ビットが0001であることは、上隣接セグメントの信号の電力に対する当該セグメントの信号の電力が3dBであることを示す。
【００９１】
図１３Ｃは、additional_connected_transmission_infoの値の意味の第３の例を示す図である。この例においては、additional_connected_transmission_infoの上位４ビットは1111の固定値であり、下位４ビットは上隣接セグメントの信号の電力に対する当該セグメントの信号の電力を示す。
【００９２】
この場合、下位４ビットの各値には、図１１に示すadjacent_transmission_power_deltaの各値の意味と同じ意味が割り当てられる。
【００９３】
このように、図５のPSI/SI生成部１９は、電力情報が記述されたエリア型分配システム記述子または連結送信記述子を含むNIT等のPSI/SIを生成し、各セグメントのTSに多重化することによって各セグメントの信号の電力を受信側に通知する。
【００９４】
図１４は、図５のOFDMフレーム生成部１２−０の構成例を示すブロック図である。OFDMフレーム生成部１２−１乃至１２−１２も同様の構成を有する。
【００９５】
OFDMフレーム生成部１２−０は、外符号付加部３１、階層分割部３２、変調・符号化部３３、階層合成部３４、インタリーブ処理部３５、フレーム構成部３６、パイロット信号生成部３７、およびTMCC情報生成部３８から構成される。TS生成部１１−０により生成されTS0は外符号付加部３１に入力される。
【００９６】
外符号付加部３１は、TS0の188バイト単位のデータに対してRS符号などの外符号を付加し、階層分割部３２に出力する。
【００９７】
階層分割部３２は、外符号付加部３１から供給されたデータの階層分割を行い、各階層のデータを変調・符号化部３３に出力する。
【００９８】
変調・符号化部３３は、各階層のデータ毎に、誤り訂正符号化、インタリーブ等のベースバンド処理を施し、キャリア変調を行った後、階層合成部３４に出力する。
【００９９】
階層合成部３４は、変調・符号化部３３から供給された各階層のデータの階層合成を行い、階層合成後のデータをインタリーブ処理部３５に出力する。
【０１００】
インタリーブ処理部３５は、階層合成部３４から供給されたデータに対して、移動受信性能及び耐マルチパス性能を確保するための時間インタリーブと周波数インタリーブを施し、フレーム構成部３６に出力する。
【０１０１】
フレーム構成部３６は、インタリーブ処理部３５から供給されたデータ、パイロット信号生成部３７から供給されたパイロット信号、およびTMCC情報生成部３８から供給されたTMCC情報に基づいてOFDMフレームを生成する。OFDMフレームには付加情報であるAC(Auxiliary Channel)も含まれる。フレーム構成部３６から出力されたOFDMフレームの信号は電力調整部１３に入力される。
【０１０２】
パイロット信号生成部３７は、受信装置２において同期の確保に用いられるSP(Scattered Pilot)、CPよりなるパイロット信号を生成し、フレーム構成部３６に出力する。
【０１０３】
TMCC情報生成部３８は、受信装置２の復調と復号動作を補助する制御情報であるTMCC情報を生成し、フレーム構成部３６に出力する。
【０１０４】
図１５は、送信装置１により生成されるOFDMセグメントの構成を示す図である。
【０１０５】
図１５に示す構成は、伝送モードがMode 1（108キャリア）である場合の差動変調部の構成である。送信装置１が生成する各OFDMセグメントは、TSのデータのOFDMシンボル、CPやTMCC情報等のOFDMシンボルが各キャリアに配置されることによって構成される。
【０１０６】
［受信装置２の構成］
図１６は、受信装置２の構成例を示すブロック図である。
【０１０７】
受信装置２は、チューナ５１、復調部５２、復号部５３、TMCC情報解析部５４、デマルチプレクサ５５、AVデコーダ５６、およびPSI/SI解析部５７から構成される。図示せぬアンテナにおいて受信されたRF信号はチューナ５１に入力される。
【０１０８】
チューナ５１は、入力されたRF信号をIF信号に変換し、復調部５２に出力する。
【０１０９】
復調部５２は、チューナ５１から供給されたIF信号に対してA/D変換、直交復調を施し、得られた時間域のOFDM信号に対してFFT演算を施す。また、復調部５２は、FFT演算を施すことによって得られた周波数域のOFDM信号からパイロット信号を抽出し、伝送路特性を推定した後、等化を行い、等化後のOFDM信号を復号部５３に出力する。
【０１１０】
復号部５３は、復調部５２から供給された等化後のOFDM信号に対して誤り訂正、デインタリーブ等の復号処理を施し、当該セグメントによって伝送されたTSをデマルチプレクサ５５に出力する。また、復号部５３は、復号処理によって得られたTMCC情報をTMCC情報解析部５４に出力する。
【０１１１】
TMCC情報解析部５４は、復号部５３から供給されたTMCC情報を解析し、復調部５２の復調処理を制御する。
【０１１２】
デマルチプレクサ５５は、TSに多重化されているAVデータをAVデコーダ５６に出力し、PSI/SIをPSI/SI解析部５７に出力する。
【０１１３】
AVデコーダ５６は、デマルチプレクサ５５によりTSから分離されたAVデータのデコードを行い、ビデオデータとオーディオデータを出力する。
【０１１４】
PSI/SI解析部５７は、デマルチプレクサ５５によりTSから分離されたPSI/SIを解析し、NITに含まれる電力情報を取得する。PSI/SI解析部５７は、取得した電力情報に基づいて復調部５２の復調処理を制御する。
【０１１５】
例えばPSI/SI解析部５７は、当該セグメントのパイロット信号に加えて上隣接セグメントの下端のキャリアの信号を用いて等化を行う場合、復調部５２を制御し、上隣接セグメントの信号の電力の補正を行わせる。また、PSI/SI解析部５７は、当該セグメントのパイロット信号と電力補正後の上隣接セグメントの下端のキャリアの信号を用いて等化を行わせる。図４を参照して説明したように、各セグメントの信号の等化には、適宜、上隣接セグメントの下端のキャリアの信号が用いられる。復調部５２が行う復調処理の詳細についてはフローチャートを参照して後述する。
【０１１６】
図１７は、復調部５２の構成例を示すブロック図である。
【０１１７】
復調部５２は、A/D変換部７１、直交復調部７２、FFT演算部７３、パイロット信号抽出部７４、伝送路特性推定部７５、電力補正部７６、および等化部７７から構成される。チューナ５１から出力されたIF信号はA/D変換部７１に入力される。
【０１１８】
A/D変換部７１は、チューナ５１から供給されたIF信号に対してA/D変換を施し、デジタルのIF信号を直交復調部７２に出力する。
【０１１９】
直交復調部７２は、直交復調を行うことによって、A/D変換部７１から供給されたIF信号から時間域のOFDM信号を取得し、FFT演算部７３に出力する。
【０１２０】
FFT演算部７３は、図示せぬ制御部により設定されるFFT区間に従って、１つのOFDMシンボルの信号からGIの範囲の信号を除くことによって有効シンボルの範囲の信号を抜き出す。また、FFT演算部７３は、抜き出した有効シンボルの範囲の信号にFFT演算を施すことによって各サブキャリアに直交変調されているデータを抽出し、抽出したデータを表す周波数域のOFDM信号を出力する。FFT演算部７３から出力された周波数域のOFDM信号は、パイロット信号抽出部７４と等化部７７に供給される。
【０１２１】
パイロット信号抽出部７４は、FFT演算部７３から供給された周波数域のOFDM信号からSP、CPのパイロット信号を抽出し、伝送路特性推定部７５と電力補正部７６に出力する。
【０１２２】
伝送路特性推定部７５は、パイロット信号抽出部７４から供給されたパイロット信号に基づいて、パイロット信号の配置位置におけるキャリアの伝送路特性を推定し、補間することによって各OFDMシンボルの位置における各キャリアの伝送路特性を推定する。伝送路特性推定部７５は、当該セグメントのパイロット信号に加えて上隣接セグメントの下端のキャリアを用いて等化を行う場合、電力補正部７６により電力が補正された信号を伝送路特性の推定に用いる。
【０１２３】
電力補正部７６は、パイロット信号抽出部７４から供給されたパイロット信号の電力をPSI/SI解析部５７から供給された電力情報に基づいて補正する。電力補正部７６による電力の補正は、例えば、当該セグメントの信号の電力と上隣接セグメントの信号の電力が異なる場合であって、上隣接セグメントの下端のキャリアの信号を等化に用いるときに行われる。電力補正部７６は、例えば当該セグメントの信号の電力と等しくなるように上隣接セグメントの下端のキャリアの信号の電力を補正し、電力補正後の上隣接セグメントの下端のキャリアの信号を伝送路特性推定部７５に出力する。
【０１２４】
等化部７７は、FFT演算部７３から供給された周波数域のOFDM信号に含まれる伝送路歪みの成分を伝送路特性推定部７５により推定された伝送路特性に基づいて除去し、等化後のOFDM信号を出力する。
【０１２５】
［送信装置１と受信装置２の動作］
ここで、以上のような構成を有する送信装置１と受信装置２の動作について説明する。
【０１２６】
・送信装置１の送信処理Ａ
はじめに、図１８のフローチャートを参照して送信装置１の送信処理Ａについて説明する。各ステップの処理は、適宜、他のステップの処理と並行して、または前後して行われる。他のフローチャートの処理も同様である。図１８の処理は、例えば外部からAVデータが入力されたときに開始される。
【０１２７】
ステップＳ１において、PSI/SI生成部１９は、セグメントNo.0乃至No.12の各セグメントによって伝送するTSに多重化される、各セグメントの電力情報を含むPSI/SIを生成する。PSI/SI生成部１９が生成するPSI/SIのNITには、電力情報を含むエリア型分配システム記述子や連結送信記述子が含まれる。
【０１２８】
ステップＳ２において、TS生成部１１−０乃至１１−１２は、それぞれ、外部から入力されたAVデータと、PSI/SI生成部１９により生成されたPSI/SIとを多重化することによってTSを生成する。
【０１２９】
ステップＳ３において、OFDMフレーム生成部１２−０乃至１２−１２は、それぞれOFDMフレームの信号を生成する。
【０１３０】
ステップＳ４において、電力調整部１３−０乃至１３−１２は、それぞれ、OFDMフレーム生成部１２−０乃至１２−１２により生成された信号の電力を、チャンネルの端に近いセグメントの信号の電力が中央に近いセグメントの信号の電力より小さくなるように調整する。
【０１３１】
ステップＳ５において、IFFT入力割付部１４は、電力調整部１３−０乃至１３−１２により電力が調整された各セグメントの信号をキャリアに割り付ける。
【０１３２】
ステップＳ６において、IFFT演算部１５は、１３セグメントのOFDMフレームの信号に対して一括してIFFT演算を施し、時間域のOFDM信号を生成する。
【０１３３】
ステップＳ７において、GI付加部１６は、時間域のOFDM信号を構成する各有効シンボルにGIを付加し、OFDMシンボルからなるOFDM信号を生成する。
【０１３４】
ステップＳ８において、送信部１７は、OFDMシンボルからなるOFDM信号を図示せぬアンテナから送信する。
【０１３５】
以上の処理により、図３Ａに示すようにして電力が調整された１３セグメントのOFDM信号が連結送信によって送信されるとともに、PSI/SIによって、各セグメントの信号の電力が受信装置２に通知される。チャンネルの両端に近いセグメントの信号の電力が小さくなるように調整することによって、隣接チャンネルへの干渉を抑えることが可能になる。
【０１３６】
・受信装置２の受信処理Ａ１
次に、図１９のフローチャートを参照して受信装置２の受信処理Ａ１について説明する。図１９の処理は、上隣接セグメントの下端のキャリアの信号を常に使わないで等化を行う処理である。復調部５２による等化には、当該セグメントのパイロット信号のみが用いられることになる。
【０１３７】
ステップＳ２１において、チューナ５１は、OFDM信号（RF信号）を受信し、IF信号に変換して復調部５２に出力する。
【０１３８】
ステップＳ２２において、復調部５２は復調処理＃１を行う。復調処理＃１については図２０のフローチャートを参照して後述する。復調処理＃１により得られた等化後のOFDM信号は復号部５３に供給される。
【０１３９】
ステップＳ２３において、復号部５３は、等化後のOFDM信号に対して誤り訂正、デインタリーブ等の復号処理を施し、当該セグメントを用いて伝送されたTSをデマルチプレクサ５５に出力する。また、復号部５３は、復号処理によって得られたTMCC情報をTMCC情報解析部５４に出力する。
【０１４０】
ステップＳ２４において、TMCC情報解析部５４はTMCC情報を解析し、適宜、TMCC情報に含まれる情報を復調部５２に供給する。
【０１４１】
ステップＳ２５において、デマルチプレクサ５５はAVデータとPSI/SIをTSから分離する。
【０１４２】
ステップＳ２６において、PSI/SI解析部５７は、デマルチプレクサ５５によりTSから分離されたPSI/SIを解析し、NITに含まれるエリア型分配システム記述子または連結送信記述子から電力情報を取得する。図１９の処理においてはOFDM信号の等化に上隣接セグメントの下端のキャリアの信号が使われない。PSI/SIから取得された電力情報は例えば破棄される。
【０１４３】
ステップＳ２７において、復調部５２は復調処理＃１を行う。ステップＳ２７において行われる処理はステップＳ２２において行われる処理と同じ処理である。ステップＳ２７において復調処理＃１が行われた後、復号処理等の以上の処理が繰り返し行われる。デマルチプレクサ５５によりTSから分離されたAVデータに対してはAVデコーダ５６によりデコードが行われ、ビデオデータとオーディオデータが外部に出力される。
【０１４４】
・復調処理＃１
図２０のフローチャートを参照して、図１９のステップＳ２２，Ｓ２７において行われる復調処理＃１について説明する。
【０１４５】
ステップＳ４１において、A/D変換部７１は、チューナ５１から供給されたIF信号に対してA/D変換を施す。
【０１４６】
ステップＳ４２において、直交復調部７２は直交復調を行うことによって時間域のOFDM信号を生成する。
【０１４７】
ステップＳ４３において、FFT演算部７３は時間域のOFDM信号に対してFFT演算を行い、周波数域のOFDM信号を生成する。
【０１４８】
ステップＳ４４において、パイロット信号抽出部７４は、FFT演算部７３から供給された周波数域のOFDM信号から、当該セグメントのパイロット信号のみを抽出する。
【０１４９】
ステップＳ４５において、伝送路特性推定部７５は、パイロット信号抽出部７４により抽出された当該セグメントのパイロット信号に基づいて伝送路特性を推定する。
【０１５０】
ステップＳ４６において、等化部７７は、FFT演算部７３から供給された周波数域のOFDM信号に含まれる伝送路歪みの成分を伝送路特性推定部７５により推定された伝送路特性に基づいて除去し、等化後の周波数域のOFDM信号を出力する。等化後の周波数域のOFDM信号が出力された後、図１９のステップＳ２２，Ｓ２７に戻り、それ以降の処理が行われる。
【０１５１】
以上のように、当該セグメントのパイロット信号のみを用いて伝送路特性を推定し、OFDM信号の等化を行うようにすることも可能である。
【０１５２】
・受信装置２の受信処理Ａ２
次に、図２１のフローチャートを参照して受信装置２の受信処理Ａ２について説明する。図２１の処理は、当該セグメントの信号の電力と上隣接セグメントの信号の電力が同じである場合には上隣接セグメントの下端のキャリアの信号を使い、異なる場合には上隣接セグメントの下端のキャリアの信号を使わないで等化を行う処理である。
【０１５３】
図２１のステップＳ６１乃至Ｓ６６の処理は、図１９のステップＳ２１乃至Ｓ２６の処理と同じ処理である。すなわち、ステップＳ６１において、チューナ５１はOFDM信号を受信し、IF信号に変換して復調部５２に出力する。
【０１５４】
ステップＳ６２において、復調部５２は図２０の復調処理＃１を行う。
【０１５５】
ステップＳ６３において、復号部５３は、等化後のOFDM信号に対して復号処理を施し、TSをデマルチプレクサ５５に出力するとともに、TMCC情報をTMCC情報解析部５４に出力する。
【０１５６】
ステップＳ６４において、TMCC情報解析部５４はTMCC情報を解析し、適宜、TMCC情報に含まれる情報を復調部５２に供給する。
【０１５７】
ステップＳ６５において、デマルチプレクサ５５はAVデータとPSI/SIをTSから分離する。
【０１５８】
ステップＳ６６において、PSI/SI解析部５７は、デマルチプレクサ５５によりTSから分離されたPSI/SIを解析し、NITに含まれるエリア型分配システム記述子または連結送信記述子から電力情報を取得する。
【０１５９】
ステップＳ６７において、PSI/SI解析部５７は、当該セグメントの信号の電力と上隣接セグメントの信号の電力が等しいか否かを判定する。
【０１６０】
例えば電力の通知に図６のエリア型分配システム記述子が用いられる場合、PSI/SI解析部５７は、transmission_powerとadjacent_transmission_powerを用いて判定を行う。上述したように、transmission_powerは当該セグメントの信号の送信電力を示し、adjacent_transmission_powerは上隣接セグメントの信号の送信電力を示す。PSI/SI解析部５７は、transmission_powerの値とadjacent_transmission_powerの値が等しい場合、当該セグメントの信号の電力と上隣接セグメントの信号の電力が等しいと判定する。
【０１６１】
また、電力の通知に図１０のエリア型分配システム記述子が用いられる場合、PSI/SI解析部５７は、adjacent_transmission_power_deltaを用いて判定を行う。adjacent_transmission_power_deltaは当該セグメントの信号の送信電力と上隣接セグメント送信電力との差を示している。例えばadjacent_transmission_power_deltaの値が1111（図１１）である場合、PSI/SI解析部５７は当該セグメントの信号の電力と上隣接セグメントの信号の電力が等しいと判定する。
【０１６２】
また、電力の通知に図１２の連結送信記述子が用いられている場合、PSI/SI解析部５７は、additional_connected_transmission_infoを用いて判定を行う。additional_connected_transmission_infoの上位４ビットと下位４ビットはそれぞれ図１３Ａ乃至Ｃを参照して説明した意味を有する。
【０１６３】
図１３Ａの例の場合、PSI/SI解析部５７は、additional_connected_transmission_infoの上位４ビットと下位４ビットが同じ値であるとき、上隣接セグメントの信号の電力と上隣接セグメントの信号の電力が等しいと判定する。また、図１３Ｂまたは図１３Ｃの例の場合、PSI/SI解析部５７は、additional_connected_transmission_infoの下位４ビットが1111であるとき、当該セグメントの信号の電力と上隣接セグメントの信号の電力が等しいと判定する。
【０１６４】
当該セグメントの信号の電力と上隣接セグメントの信号の電力が異なるとステップＳ６７において判定された場合、ステップＳ６８において、復調部５２は復調処理＃１を行う。すなわち、この場合、当該セグメントのパイロット信号のみが等化に用いられることになる。
【０１６５】
一方、当該セグメントの信号の電力と上隣接セグメントの信号の電力が等しいとステップＳ６７において判定された場合、ステップＳ６９において、復調部５２は復調処理＃２を行う。復調処理＃２については図２２のフローチャートを参照して後述する。
【０１６６】
ステップＳ６８において復調処理＃１が行われた後、またはステップＳ６９において復調処理＃２が行われた後、復号処理等の以上の処理が繰り返し行われる。
【０１６７】
・復調処理＃２
図２２のフローチャートを参照して、図２１のステップＳ６９において行われる復調処理＃２について説明する。
【０１６８】
ステップＳ８１において、A/D変換部７１は、チューナ５１から供給されたIF信号に対してA/D変換を施す。
【０１６９】
ステップＳ８２において、直交復調部７２は直交復調を行うことによって時間域のOFDM信号を生成する。
【０１７０】
ステップＳ８３において、FFT演算部７３は時間域のOFDM信号に対してFFT演算を行い、周波数域のOFDM信号を生成する。
【０１７１】
ステップＳ８４において、パイロット信号抽出部７４は、FFT演算部７３から供給された周波数域のOFDM信号から、当該セグメントのパイロット信号と、上隣接セグメントの下端のキャリアの信号を抽出する。
【０１７２】
ステップＳ８５において、伝送路特性推定部７５は、パイロット信号抽出部７４により抽出された当該セグメントのパイロット信号と上隣接セグメントの下端のキャリアの信号に基づいて伝送路特性を推定する。
【０１７３】
ステップＳ８６において、等化部７７は、FFT演算部７３から供給された周波数域のOFDM信号に含まれる伝送路歪みの成分を伝送路特性推定部７５により推定された伝送路特性に基づいて除去し、等化後の周波数域のOFDM信号を出力する。等化後の周波数域のOFDM信号が出力された後、図２１のステップＳ６９に戻り、それ以降の処理が行われる。
【０１７４】
各セグメントの信号が図３Ａに示すようにして送信されている場合について説明する。この場合、例えばセグメントNo.6の受信時には、当該セグメントであるNo.6のパイロット信号に加えて、上隣接セグメントであるセグメントNo.7の下端のキャリアの信号を用いて等化が行われることになる。セグメントNo.6とセグメントNo.7の電力はともに同じ電力P0である。
【０１７５】
一方、セグメントNo.9の受信時には、上隣接セグメントであるセグメントNo.10の下端のキャリアの信号を用いずに、当該セグメントであるセグメントNo.9のパイロット信号のみを用いて等化が行われることになる。
【０１７６】
このように、当該セグメントの信号の電力と上隣接セグメントの信号の電力が等しい場合にのみ、上隣接セグメントの下端のキャリアの信号をも用いて等化を行うことにより、電力の異なる信号を用いて等化を行ってしまうことを防ぐことが可能になる。仮に、電力が異なる上隣接セグメントの下端のキャリアの信号をそのまま用いて等化を行うとした場合、伝送路特性の推定結果に誤りが生じ、等化を正しく行うことができなくなってしまうが、そのようなことを防ぐことが可能になる。
【０１７７】
・受信装置２の受信処理Ａ３
次に、図２３のフローチャートを参照して受信装置２の受信処理Ａ３について説明する。図２３の処理は、当該セグメントの信号の電力と上隣接セグメントの信号の電力に差がある場合、上隣接セグメントの下端のキャリアの信号の電力を補正して等化に用いる処理である。
【０１７８】
図２３のステップＳ１０１乃至Ｓ１０６の処理は、図１９のステップＳ２１乃至Ｓ２６の処理と同じ処理である。すなわち、ステップＳ１０１において、チューナ５１はOFDM信号を受信し、IF信号に変換して復調部５２に出力する。
【０１７９】
ステップＳ１０２において、復調部５２は復調処理＃１を行う。
【０１８０】
ステップＳ１０３において、復号部５３は、等化後のOFDM信号に対して復号処理を施し、TSをデマルチプレクサ５５に出力するとともに、TMCC情報をTMCC情報解析部５４に出力する。
【０１８１】
ステップＳ１０４において、TMCC情報解析部５４はTMCC情報を解析し、適宜、TMCC情報に含まれる情報を復調部５２に供給する。
【０１８２】
ステップＳ１０５において、デマルチプレクサ５５はAVデータとPSI/SIをTSから分離する。
【０１８３】
ステップＳ１０６において、PSI/SI解析部５７は、デマルチプレクサ５５によりTSから分離されたPSI/SIを解析し、NITに含まれるエリア型分配システム記述子または連結送信記述子から電力情報を取得する。
【０１８４】
ステップＳ１０７において、復調部５２は復調処理＃３を行う。復調処理＃３については図２４のフローチャートを参照して後述する。ステップＳ１０７において復調処理＃３が行われた後、復号処理等の以上の処理が繰り返し行われる。
【０１８５】
・復調処理＃３
図２４のフローチャートを参照して、図２３のステップＳ１０７において行われる復調処理＃３について説明する。
【０１８６】
ステップＳ１２１において、A/D変換部７１は、チューナ５１から供給されたIF信号に対してA/D変換を施す。
【０１８７】
ステップＳ１２２において、直交復調部７２は直交復調を行うことによって時間域のOFDM信号を生成する。
【０１８８】
ステップＳ１２３において、FFT演算部７３は時間域のOFDM信号に対してFFT演算を行い、周波数域のOFDM信号を生成する。
【０１８９】
ステップＳ１２４において、パイロット信号抽出部７４は、FFT演算部７３から供給された周波数域のOFDM信号から、当該セグメントのパイロット信号と、上隣接セグメントの下端のキャリアの信号を抽出する。
【０１９０】
ステップＳ１２５において、電力補正部７６は、パイロット信号抽出部７４により抽出された上隣接セグメントの下端のキャリアの信号の電力を、当該セグメントのパイロット信号の電力と同じ電力になるように補正する。
【０１９１】
例えば電力の通知に図６のエリア型分配システム記述子が用いられている場合、transmission_powerが1111、adjacent_transmission_powerが1110であるときには、電力補正部７６は上隣接セグメントの下端のキャリアの信号の電力を3dBだけ大きくする。
【０１９２】
また、電力の通知に図１０のエリア型分配システム記述子が用いられている場合、adjacent_transmission_power_deltaが0001であるときには、電力補正部７６は、上隣接セグメントの下端のキャリアの信号の電力を3dBだけ大きくする。
【０１９３】
電力の通知に図１２の連結送信記述子が用いられている場合も同様に、additional_connected_transmission_infoに基づいて上隣接セグメントの下端のキャリアの信号の電力が補正される。
【０１９４】
ステップＳ１２６において、伝送路特性推定部７５は、パイロット信号抽出部７４により抽出された当該セグメントのパイロット信号と、電力補正部７６により電力が補正された上隣接セグメントの下端のキャリアの信号に基づいて伝送路特性を推定する。
【０１９５】
ステップＳ１２７において、等化部７７は、FFT演算部７３から供給された周波数域のOFDM信号に含まれる伝送路歪みの成分を伝送路特性推定部７５により推定された伝送路特性に基づいて除去し、等化後の周波数域のOFDM信号を出力する。等化後の周波数域のOFDM信号が出力された後、図２３のステップＳ１０７に戻り、それ以降の処理が行われる。
【０１９６】
このように、当該セグメントの信号の電力に等しくなるように上隣接セグメントの下端のキャリアの信号の電力を補正することにより、電力の異なる信号を用いて等化を行ってしまうことを防ぐことが可能になる。
【０１９７】
なお、上隣接セグメントの信号の電力に等しくなるように当該セグメントの信号の電力を補正し、電力補正後の当該セグメントのパイロット信号と、上隣接セグメントの下端のキャリアの信号とを等化に用いることも可能である。また、当該セグメントの信号の電力と上隣接セグメントの信号の電力の双方を等しくなるように補正し、電力補正後の当該セグメントのパイロット信号と上隣接セグメントの下端のキャリアの信号とを等化に用いることも可能である。
【０１９８】
＜１−２．各セグメントの信号の電力をTMCC情報によって通知する例＞
次に、各セグメントの信号の電力をTMCC情報によって通知する場合について説明する。
【０１９９】
各セグメントの信号の電力をPSI/SIによって通知する場合、受信側では、復号処理を行い、さらにTSの解析を行わなければ電力情報を取得することができない。各セグメントの信号の電力の通知にTMCC情報が用いられることにより、受信装置２は、復号処理の前の復調処理の段階で電力情報を取得することができ、即応性を確保することが可能になる。
【０２００】
［送信装置１の構成］
図２５は、各セグメントの信号の電力をTMCC情報によって通知する場合の送信装置１の構成例を示すブロック図である。図２５に示す構成のうち、図５の構成と同じ構成には同じ符号を付してある。
【０２０１】
図２５の送信装置１の構成は、電力制御部１８から出力された各セグメントの信号の電力を示す情報が、OFDMフレーム生成部１２−０乃至１２−１２と電力調整部１３に供給される点で図５の構成と異なる。重複する説明については適宜省略する。
【０２０２】
OFDMフレーム生成部１２−０乃至１２−１２は、それぞれ、電力制御部１８から供給された情報に基づいて電力情報を含むTMCC情報を生成する。また、OFDMフレーム生成部１２−０乃至１２−１２は、それぞれ、TS0乃至TS12のデータをセグメントNo.0乃至No.12によって伝送するためのOFDMフレームを生成する。各セグメントのOFDMフレームには、電力情報を含むTMCC情報が含まれる。
【０２０３】
OFDMフレーム生成部１２−０乃至１２−１２は、図１４の構成と同じ構成を有する。電力情報を含むTMCC情報はTMCC情報生成部３８により生成され、フレーム構成部３６によりOFDMフレームに含められる。
【０２０４】
なお、受信装置２は、図１６、図１７に示す構成と同じ構成を有する。
【０２０５】
［TMCC情報について］
図２６は、TMCC情報のビット割り当てを示す図である。TMCC情報については例えばARIB STD-B31 2.0版の3.15.6に規定されている。
【０２０６】
102ビットのTMCC情報のうち、B20-B109の90ビットが使用済みであり、B110-B121の12ビットがリザーブになっている。電力情報は例えばリザーブの12ビットのうちの所定のビットに割り当てられる。
【０２０７】
図２７は、TMCC情報のB110の１ビットの意味の例を示す図である。この例においては、TMCC情報のB110の１ビットが電力情報として用いられている。
【０２０８】
B110が0であることは、当該セグメントの信号の電力と上隣接セグメントの信号の電力に所定の差があることを示す。この場合、例えば、当該セグメントの信号の電力と上隣接セグメントの信号の電力の差の情報が受信装置２に予め与えられる。
【０２０９】
また、B110が1であることは、当該セグメントの信号の電力と上隣接セグメントの信号の電力に差がないことを示す。
【０２１０】
図２８は、TMCC情報のB110の１ビットの意味の他の例を示す図である。
【０２１１】
B110が0であることは、当該セグメントの信号の電力と上隣接セグメントの信号の電力に所定の差があることを示す。
【０２１２】
また、B110が0である場合、当該セグメントのサブチャンネル番号（sub-ch）が21より小さいときには、当該セグメントの信号の電力が上隣接セグメントの信号の電力より所定の電力だけ小さいことを示す。一方、当該セグメントのサブチャンネル番号が23より大きいときには、当該セグメントの信号の電力が上隣接セグメントの信号の電力より所定の電力だけ大きいことを示す。
【０２１３】
サブチャンネルは、１チャンネルの帯域幅を６MHzとした場合、帯域幅を1/7MHzとする仮想チャンネルである。１セグメントは３つのサブチャンネルから構成される。１つのチャンネルの下端のサブチャンネルのサブチャンネル番号は0、上端のサブチャンネルのサブチャンネル番号は41となる。中心の１セグメント（図３のセグメントNo.6）はサブチャンネル番号が21,22,23の３つのサブチャンネルから構成される。サブチャンネルについては例えばARIB STD-B46 1.1版 3.13.1.2に規定されている。
【０２１４】
すなわち、B110が0であることは、チャンネルの中心に対して当該セグメントが左側（低周波数側）にあれば、当該セグメントの信号の電力が上隣接セグメントの信号の電力に対して小さいことを示す。また、チャンネルの中心に対して当該セグメントが右側（高周波数側）にあれば、当該セグメントの信号の電力が上隣接セグメントの信号の電力に対して大きいことを示す。 
【０２１５】
一方、B110が1であることは、図２７の場合と同様に当該セグメントの信号の電力と上隣接セグメントの信号の電力に差がないことを示す。
【０２１６】
図２９は、TMCC情報のB110〜B113の４ビットの意味の例を示す図である。この例においては、TMCC情報のB110〜B113の４ビットが電力情報として用いられている。
【０２１７】
B110〜B113の４ビットの意味は、図１１に示すadjacent_transmission_power_deltaの各値に割り当てられた意味と同じである。すなわち、B110〜B113の４ビットが1111であることは、上隣接セグメントの信号の電力に対する当該セグメントの信号の電力が0dBであることを示す。また、B110〜B113の４ビットが0001であることは、上隣接セグメントの信号の電力に対する当該セグメントの信号の電力が3dBであることを示す。B110〜B113の他の値にも、上隣接セグメントの信号の電力に対する当該セグメントの信号の電力を示すdB値がそれぞれ割り当てられる。
【０２１８】
［送信装置１と受信装置２の動作］
ここで、各セグメントの信号の電力の情報がTMCC情報に含まれる場合の送信装置１と受信装置２の動作について説明する。
【０２１９】
・送信装置１の送信処理Ｂ
はじめに、図３０のフローチャートを参照して図２５の送信装置１の送信処理Ｂについて説明する。
【０２２０】
ステップＳ２０１において、PSI/SI生成部１９は、セグメントNo.0乃至No.12の各セグメントによって伝送するTSに多重化されるPSI/SIを生成する。
【０２２１】
ステップＳ２０２において、TS生成部１１−０乃至１１−１２は、それぞれ、外部から入力されたAVデータと、PSI/SI生成部１９により生成されたPSI/SIとを多重化することによってTSを生成する。
【０２２２】
ステップＳ２０３において、OFDMフレーム生成部１２−０乃至１２−１２はそれぞれOFDMフレーム生成処理を行う。OFDMフレーム生成処理については図３１のフローチャートを参照して後述する。OFDMフレーム生成処理により生成された各セグメントのOFDMフレームの信号は電力調整部１３に供給される。
【０２２３】
ステップＳ２０４において、電力調整部１３−０乃至１３−１２は、それぞれ、OFDMフレーム生成部１２−０乃至１２−１２により生成された信号の電力を、チャンネルの端に近いセグメントの信号の電力が中央に近いセグメントの信号の電力より小さくなるように調整する。
【０２２４】
ステップＳ２０５において、IFFT入力割付部１４は、電力調整部１３−０乃至１３−１２により電力が調整された各セグメントのOFDMフレームの信号をキャリアに割り付ける。
【０２２５】
ステップＳ２０６において、IFFT演算部１５は、１３セグメントのOFDMフレームの信号に対して一括してIFFT演算を施し、時間域のOFDM信号を生成する。
【０２２６】
ステップＳ２０７において、GI付加部１６は、時間域のOFDM信号を構成する各有効シンボルの先頭にGIを付加し、OFDMシンボルからなるOFDM信号を生成する。
【０２２７】
ステップＳ２０８において、送信部１７は、OFDMシンボルからなるOFDM信号を図示せぬアンテナから送信する。
【０２２８】
以上の処理により、図３Ａに示すようにして電力が調整された１３セグメントのOFDM信号が連結送信によって送信される。チャンネルの両端に近いセグメントの信号の電力が小さくなるように調整することによって、隣接チャンネルへの干渉を抑えることが可能になる。
【０２２９】
・OFDMフレーム生成処理
次に、図３１のフローチャートを参照して、図３０のステップＳ２０３において行われるOFDMフレーム生成処理について説明する。OFDMフレーム生成部１２−０乃至１２−１２のそれぞれにおいて同様の処理が行われる。
【０２３０】
ステップＳ２２１において、外符号付加部３１は、TSの188バイト単位のデータに対して外符号を付加する。
【０２３１】
ステップＳ２２２において、階層分割部３２は、外符号が付加されたデータの階層分割を行う。
【０２３２】
ステップＳ２２３において、変調・符号化部３３は、各階層のデータ毎に、誤り訂正符号化、インタリーブ等のベースバンド処理を施すとともに、キャリア変調を行う。
【０２３３】
ステップＳ２２４において、階層合成部３４は、変調処理と符号化処理が施された各階層のデータの階層合成を行う。
【０２３４】
ステップＳ２２５において、インタリーブ処理部３５は、階層合成後のデータに対して時間インタリーブと周波数インタリーブを施す。
【０２３５】
ステップＳ２２６において、TMCC情報生成部３８は、電力情報である図２７乃至図２９のビットが所定のビットに割り当てられたTMCC情報を生成する。
【０２３６】
ステップＳ２２７において、パイロット信号生成部３７はパイロット信号を生成する。
【０２３７】
ステップＳ２２８において、フレーム構成部３６は、インタリーブ処理部３５から供給されたデータ、パイロット信号生成部３７から供給されたパイロット信号、およびTMCC情報生成部３８から供給されたTMCC情報に基づいてOFDMフレームを生成する。その後、図３０のステップＳ２０３に戻り、それ以降の処理が行われる。
【０２３８】
・受信装置２の受信処理Ｂ１
次に、図３２のフローチャートを参照して受信装置２の受信処理Ｂ１について説明する。図３２の処理は、上隣接セグメントの下端のキャリアの信号を常に使わないで等化を行う処理である。
【０２３９】
ステップＳ２４１において、チューナ５１は、OFDM信号（RF信号）を受信し、IF信号に変換して復調部５２に出力する。
【０２４０】
ステップＳ２４２において、復調部５２は図２０の復調処理＃１を行う。復調処理＃１においては当該セグメントのパイロット信号のみを用いて等化が行われる。復調処理＃１により得られた等化後のOFDM信号は復号部５３に供給される。
【０２４１】
ステップＳ２４３において、復号部５３は、等化後のOFDM信号に対して誤り訂正、デインタリーブ等の復号処理を施し、当該セグメントを用いて伝送されたTSをデマルチプレクサ５５に出力する。また、復号部５３は、復号処理によって得られたTMCC情報をTMCC情報解析部５４に出力する。
【０２４２】
ステップＳ２４４において、TMCC情報解析部５４はTMCC情報を解析し、電力情報を取得する。図３２の処理においてはOFDM信号の等化に上隣接セグメントの下端のキャリアの信号が使われない。TMCC情報から取得された電力情報は例えば破棄される。
【０２４３】
ステップＳ２４５において、デマルチプレクサ５５はAVデータとPSI/SIをTSから分離する。
【０２４４】
ステップＳ２４６において、PSI/SI解析部５７は、デマルチプレクサ５５によりTSから分離されたPSI/SIを解析する。
【０２４５】
ステップＳ２４７において、復調部５２は復調処理＃１を行う。ステップＳ２４７において復調処理＃１が行われた後、復号処理等の以上の処理が繰り返し行われる。デマルチプレクサ５５によりTSから分離されたAVデータに対してはAVデコーダ５６によりデコードが行われ、ビデオデータとオーディオデータが外部に出力される。
【０２４６】
以上のように、当該セグメントのパイロット信号のみを用いて伝送路特性を推定し、OFDM信号の等化を行うようにすることも可能である。
【０２４７】
・受信装置２の受信処理Ｂ２
次に、図３３のフローチャートを参照して受信装置２の受信処理Ｂ２について説明する。図３３の処理は、当該セグメントの信号の電力と上隣接セグメントの信号の電力が同じである場合には上隣接セグメントの下端のキャリアの信号を使い、異なる場合には上隣接セグメントの下端のキャリアの信号を使わないで等化を行う処理である。
【０２４８】
図３３のステップＳ２６１乃至Ｓ２６６の処理は、図３２のステップＳ２４１乃至Ｓ２４６の処理と同じ処理である。すなわち、ステップＳ２６１において、チューナ５１はOFDM信号を受信し、IF信号に変換して復調部５２に出力する。
【０２４９】
ステップＳ２６２において、復調部５２は図２０の復調処理＃１を行う。
【０２５０】
ステップＳ２６３において、復号部５３は、等化後のOFDM信号に対して復号処理を施し、TSをデマルチプレクサ５５に出力するとともに、TMCC情報をTMCC情報解析部５４に出力する。
【０２５１】
ステップＳ２６４において、TMCC情報解析部５４はTMCC情報を解析し、電力情報を取得する。
【０２５２】
ステップＳ２６５において、デマルチプレクサ５５はAVデータとPSI/SIをTSから分離する。
【０２５３】
ステップＳ２６６において、PSI/SI解析部５７は、デマルチプレクサ５５によりTSから分離されたPSI/SIを解析する。
【０２５４】
ステップＳ２６７において、TMCC情報解析部５４は、TMCC情報から取得した電力情報に基づいて、当該セグメントの信号の電力と上隣接セグメントの信号の電力が等しいか否かを判定する。
【０２５５】
例えば電力の通知に図２７または図２８のB110の１ビットが用いられている場合、TMCC情報解析部５４は、B110が1であるときには電力が等しいと判定し、0であるときには電力が異なると判定する。
【０２５６】
また、電力の通知に図２９のB110〜B113の4ビットが用いられている場合、TMCC情報解析部５４は、B110〜B113が1111であるときには当該セグメントの信号の電力と上隣接セグメントの信号の電力が等しいと判定する。TMCC情報解析部５４は、B110〜B113が1111以外の値であるとき、双方の電力が異なると判定する。
【０２５７】
当該セグメントの信号の電力と上隣接セグメントの信号の電力が異なるとステップＳ２６７において判定された場合、ステップＳ２６８において、復調部５２は復調処理＃１を行う。この場合、当該セグメントのパイロット信号のみが等化に用いられることになる。
【０２５８】
一方、当該セグメントの信号の電力と上隣接セグメントの信号の電力が等しいとステップＳ２６７において判定された場合、ステップＳ２６９において、復調部５２は図２２の復調処理＃２を行う。復調処理＃２においては、当該セグメントのパイロット信号と、上隣接セグメントの下端のキャリアの信号を用いて等化が行われる。
【０２５９】
ステップＳ２６８において復調処理＃１が行われた後、またはステップＳ２６９において復調処理＃２が行われた後、復号処理等の以上の処理が繰り返し行われる。
【０２６０】
このように、当該セグメントの信号の電力と上隣接セグメントの信号の電力が等しい場合にのみ、上隣接セグメントの下端のキャリアの信号をも用いて等化を行うことにより、電力の異なる信号を用いて等化を行ってしまうことを防ぐことが可能になる。
【０２６１】
・受信装置２の受信処理Ｂ３
次に、図３４のフローチャートを参照して受信装置２の受信処理Ｂ３について説明する。図３４の処理は、当該セグメントの信号の電力と上隣接セグメントの信号の電力に差がある場合、上隣接セグメントの下端のキャリアの信号の電力を補正して等化に用いる処理である。
【０２６２】
図３４のステップＳ２８１乃至Ｓ２８６の処理は、図３２のステップＳ２４１乃至Ｓ２４６の処理と同じ処理である。すなわち、ステップＳ２８１において、チューナ５１はOFDM信号を受信し、IF信号に変換して復調部５２に出力する。
【０２６３】
ステップＳ２８２において、復調部５２は復調処理＃１を行う。
【０２６４】
ステップＳ２８３において、復号部５３は、等化後のOFDM信号に対して復号処理を施し、TSをデマルチプレクサ５５に出力するとともに、TMCC情報をTMCC情報解析部５４に出力する。
【０２６５】
ステップＳ２８４において、TMCC情報解析部５４はTMCC情報を解析し、電力情報を取得する。
【０２６６】
ステップＳ２８５において、デマルチプレクサ５５はAVデータとPSI/SIをTSから分離する。
【０２６７】
ステップＳ２８６において、PSI/SI解析部５７は、デマルチプレクサ５５によりTSから分離されたPSI/SIを解析する。
【０２６８】
ステップＳ２８７において、復調部５２は図２４の復調処理＃３を行う。復調処理＃３においては、TMCC情報から取得された電力情報に基づいて、当該セグメントの信号の電力と等しくなるように上隣接セグメントの下端のキャリアの信号の電力が電力補正部７６により補正される。また、当該セグメントのパイロット信号と、上隣接セグメントの下端のキャリアの電力補正後の信号を用いて伝送路特性推定部７５により伝送路特性が推定され、等化部７７により等化が行われる。ステップＳ２８７において復調処理＃３が行われた後、復号処理等の以上の処理が繰り返し行われる。
【０２６９】
このように、当該セグメントの信号の電力に等しくなるように上隣接セグメントの信号の電力を補正することにより、電力の異なる信号を用いて等化を行ってしまうことを防ぐことが可能になる。
【０２７０】
＜２．第２の実施の形態（波形整形によって信号の電力を調整する例）＞
［送信信号について］
波形整形フィルタを用いた波形整形によって各セグメントの信号の電力を調整することも可能である。
【０２７１】
図３５は、送信装置１が送信するOFDM信号の例を示す図である。
【０２７２】
図３５に示す各セグメントの信号のうち、斜線で示す部分は波形整形フィルタにより減衰される部分である。波形整形フィルタは、チャンネルの中心周波数を基準として、低い周波数（周波数軸上で基準との差が小さい周波数）の信号を通過させ、高い周波数（周波数軸上で基準との差が大きい周波数）の信号を減衰させるLPF(Low Pass Filter)である。
【０２７３】
このように、送信装置１においては、チャンネルの中央に近いセグメントの信号の電力に較べて、チャンネルの端に近いセグメントの信号の電力を徐々に小さくするように、OFDM信号の電力が波形整形フィルタを用いて調整される。これにより、隣接するチャンネルの信号に与える干渉を抑えることが可能になる。
【０２７４】
送信装置１から受信装置２に対しては、波形整形に関する情報である波形整形情報が通知される。波形整形情報には、例えば、波形整形フィルタの種別を示す情報、波形整形フィルタを用いた波形整形が送信側で行われたか否かを示す情報が含まれる。
【０２７５】
波形整形情報の通知方法には、上述した電力情報を通知する場合と同様に、PSI/SIを用いる方法と、TMCC情報を用いる方法がある。はじめに、PSI/SIを用いる方法について説明する。
【０２７６】
＜２−１．波形整形の情報をPSI/SIによって通知する例＞
［送信装置１の構成］
図３６は、波形整形の情報をPSI/SIによって通知する場合の送信装置１の構成例を示すブロック図である。
【０２７７】
図３６に示す構成のうち、図５の構成と同じ構成には同じ符号を付してある。図３６の送信装置１の構成は、主に、電力調整部１３に代えて、GI付加部１６と送信部１７の間に波形整形部１０１が設けられている点で図５の構成と異なる。重複する説明については適宜省略する。
【０２７８】
TS生成部１１−０乃至１１−１２は、それぞれ、外部から入力されたAVデータと、PSI/SI生成部１９から供給されたPSI/SIを多重化することによってTSを生成する。PSI/SI生成部１９から供給されるPSI/SIの例えばNITには波形整形情報が含まれる。
【０２７９】
OFDMフレーム生成部１２−０乃至１２−１２は、それぞれ、TS0乃至TS12のデータをセグメントNo.0乃至No.12によって伝送するためのOFDMフレームを生成し、IFFT入力割付部１４に出力する。
【０２８０】
IFFT入力割付部１４は、OFDMフレーム生成部１２−０乃至１２−１２から供給された各セグメントのOFDMフレームの信号をキャリアに割り付け、IFFT演算部１５に出力する。
【０２８１】
IFFT演算部１５は、IFFT入力割付部１４から供給された信号に対して一括してIFFT演算を施し、時間域のOFDM信号を生成する。IFFT演算部１５は、生成したOFDM信号をGI付加部１６に出力する。
【０２８２】
GI付加部１６は、IFFT演算部１５から供給されたOFDM信号の各有効シンボルの先頭に、各有効シンボルの後半の一部をコピーすることによってGIを付加し、OFDMシンボルからなるOFDM信号を生成する。GI付加部１６は、生成したOFDM信号を波形整形部１０１に出力する。
【０２８３】
波形整形部１０１は、GI付加部１６から供給されたOFDM信号に対して、波形整形フィルタを用いた波形整形を施す。波形整形フィルタの種別が電力制御部１８により指定される。波形整形部１０１は、波形整形によって得られた図３５に示すような波形を有するOFDM信号を送信部１７に出力する。
【０２８４】
送信部１７は、波形整形部１０１から供給されたOFDM信号のアップコンバートなどを行い、アンテナから送信する。
【０２８５】
電力制御部１８は、波形整形フィルタの種別の情報をPSI/SI生成部１９と波形整形部１０１に出力する。
【０２８６】
PSI/SI生成部１９は、各セグメントのTS用のPSI/SIを生成し、TS生成部１１−０乃至１１−１２に出力する。例えばTS0に多重化されるPSI/SIはTS生成部１１−０に供給され、TS1に多重化されるPSI/SIはTS生成部１１−１に供給される。TS0乃至TS12用の各PSI/SIには、波形整形情報として同じ情報が含まれる。
【０２８７】
［NITのエリア型分配システム記述子を用いた例］
エリア型分配システム記述子を用いて波形整形情報を通知する場合について説明する。
【０２８８】
図３７は、エリア型分配システム記述子のデータ構造の例を示す図である。図３７に示す情報のうち、transmission_filter以外の情報は図６を参照して説明したものと同じである。
【０２８９】
transmission_filterは8ビットのフィールドであり、波形整形フィルタの種別を示す。
【０２９０】
図３８は、transmission_filterの値の意味を示す図である。
【０２９１】
transmission_filterが00000000であることは、波形整形フィルタの種別（特性）が、遅延量d=1.0として、下式（１）により表されることを示す。下式（１）において、pi=3.141592...，i = キャリアindex, N = IFFTサンプル数である。
2 × (1+cos(2 × pi × d × i / N))  ・・・  （１）
【０２９２】
また、transmission_filterが00000001であることは、波形整形フィルタの種別が、遅延量d=1.1として、式（１）により表されることを示す。transmission_filterが00010000であることは、波形整形フィルタの種別が、所定のパラメータｎを所定の式ｎに代入することによって表されることを示す。transmission_filterの他の値にも、波形整形フィルタの種別を示す所定の式とその式に代入するパラメータがそれぞれ割り当てられる。
【０２９３】
［NITの連結送信記述子を用いた例］
波形整形情報を通知するために連結送信記述子のadditional_connected_transmission_infoが用いられるようにしてもよい。
【０２９４】
図３９は、連結送信記述子のデータ構造の例を示す図である。
【０２９５】
8ビットのフィールドであるadditional_connected_transmission_infoが、波形整形情報として用いられる。additional_connected_transmission_infoの各値には、図３８に示すtransmission_filterの各値の意味と同じ意味が割り当てられる。
【０２９６】
このように、図３６のPSI/SI生成部１９は、波形整形情報が記述されたエリア型分配システム記述子または連結送信記述子を含むNIT等のPSI/SIを生成し、各セグメントのTSに多重化することによって波形整形に関する情報を受信側に通知する。
【０２９７】
図４０は、図３６の波形整形部１０１の構成例を示すブロック図である。
【０２９８】
波形整形部１０１は遅延部１１１と加算部１１２から構成される。GI付加部１６から出力されたOFDM信号は遅延部１１１と加算部１１２に入力される。
【０２９９】
遅延部１１１は、電力制御部１８により指定された遅延量ｄに従って、入力されたOFDM信号を遅延させ、加算部１１２に出力する。遅延量ｄはIFFTのサンプル数により表される。
【０３００】
加算部１１２は、入力されたOFDM信号と遅延部１１１により遅延量ｄだけ遅延されたOFDM信号を加算することによって上式（１）の演算を行い、演算結果として求められたOFDM信号を出力する。
【０３０１】
図４１は、波形整形フィルタの特性の例を示す図である。
【０３０２】
図４１は、上式（１）の遅延量ｄを、d=1.0からd=1.5まで、0.1ステップで変えた場合のそれぞれの波形整形フィルタの特性を示している。遅延量ｄが大きいほど、OFDM信号の電力の減衰量は大きくなる。このような波形整形フィルタの特性を特定することが可能な式とパラメータの情報が波形整形情報としてPSI/SIに含められ、受信装置２に送信される。
【０３０３】
［受信装置２の構成］
図４２は、受信装置２の構成例を示すブロック図である。
【０３０４】
図４２に示す構成のうち、図１６の構成と同じ構成には同じ符号を付してある。図４２の受信装置２の構成は、主に、制御部１２１が設けられている点で図１６の構成と異なる。重複する説明については適宜省略する。
【０３０５】
復調部５２は、チューナ５１から供給されたIF信号に対してA/D変換、直交復調を施し、得られた時間域のOFDM信号に対してFFT演算を施す。復調部５２は、例えば直交復調を行った後、送信側での波形整形に用いられた波形整形フィルタの特性の逆特性を当該セグメントのOFDM信号に対して重畳し、減衰された信号の電力を補正する。電力の補正の対象となるOFDM信号には、上隣接セグメントの下端のキャリアの信号も含まれる。
【０３０６】
また、復調部５２は、FFT演算を施すことによって得られた周波数域のOFDM信号からパイロット信号を抽出し、伝送路特性を推定した後、等化を行い、等化後のOFDM信号を復号部５３に出力する。
【０３０７】
TMCC情報解析部５４は、復号部５３から供給されたTMCC情報を解析し、制御部１２１に出力する。
【０３０８】
PSI/SI解析部５７は、デマルチプレクサ５５によりTSから分離されたPSI/SIを解析し、NITに含まれる波形整形情報を制御部１２１に出力する。
【０３０９】
制御部１２１は、PSI/SI解析部５７から供給された波形整形情報に基づいて送信側での波形整形に用いられた波形整形フィルタの特性を特定する。また、制御部１２１は、受信中の当該セグメントのサブチャンネル情報をチューナ５１から取得し、当該セグメントの信号に対する波形整形フィルタの特性の逆特性を特定する。
【０３１０】
各セグメントの信号に対する波形整形フィルタの特性は、波形整形フィルタの全体の特性と、セグメントの周波数帯域に応じて異なる。従って、当該セグメントの信号に対する波形整形フィルタの特性の逆特性は、波形整形情報より特定される波形整形フィルタ全体の特性と、サブチャンネル番号より特定される当該セグメントの周波数帯域によって特定される。
【０３１１】
制御部１２１は、特定した当該セグメントの信号に対する波形整形フィルタの特性の逆特性を示す情報を復調部５２に出力し、OFDM信号の電力の補正を行わせる。
【０３１２】
図４３は、図４２の復調部５２の構成例を示すブロック図である。
【０３１３】
図４３に示す構成のうち、図１７の構成と同じ構成には同じ符号を付してある。図４３の復調部５２の構成は、主に、電力補正部７６に代えて、直交復調部７２とFFT演算部７３の間に電力補正部１３１が設けられている点で図１７の構成と異なる。なお、電力補正部１３１は、FFT演算部７３の後に設けても良い。電力補正処理は周波数領域で演算されるため、FFT演算部７３の後段で電力補正処理を行う場合には、周波数ごとに補正を行う処理を行うことも容易であって、計算量が少なくなり、かつ、小規模の回路構成で実現することが可能となる。
【０３１４】
A/D変換部７１は、チューナ５１から供給されたIF信号に対してA/D変換を施し、デジタルのIF信号を直交復調部７２に出力する。
【０３１５】
直交復調部７２は、直交復調を行うことによって、A/D変換部７１から供給されたIF信号から時間域のOFDM信号を取得し、電力補正部１３１に出力する。
【０３１６】
電力補正部１３１は、直交復調部７２から供給された当該セグメントのOFDM信号に対して、波形整形フィルタの特性の逆特性を重畳し、当該セグメントのOFDM信号の電力を補正する。電力補正部１３１は電力補正後のOFDM信号をFFT演算部７３に出力する。
【０３１７】
FFT演算部７３は、図示せぬ制御部により設定されるFFT区間に従って、１つのOFDMシンボルの信号からGIの範囲の信号を除くことによって有効シンボルの範囲の信号を抜き出す。また、FFT演算部７３は、抜き出した有効シンボルの範囲の信号にFFT演算を施すことによって各サブキャリアに直交変調されているデータを抽出し、抽出したデータを表す周波数域のOFDM信号を出力する。FFT演算部７３から出力された周波数域のOFDM信号は、パイロット信号抽出部７４と等化部７７に供給される。
【０３１８】
パイロット信号抽出部７４は、FFT演算部７３から供給された周波数域のOFDM信号からパイロット信号を抽出し、伝送路特性推定部７５に出力する。
【０３１９】
伝送路特性推定部７５は、パイロット信号抽出部７４から供給されたパイロット信号に基づいて、パイロット信号の配置位置におけるキャリアの伝送路特性を推定し、補間することによって各OFDMシンボルの位置における各キャリアの伝送路特性を推定する。
【０３２０】
等化部７７は、FFT演算部７３から供給された周波数域のOFDM信号に含まれる伝送路歪みの成分を伝送路特性推定部７５により推定された伝送路特性に基づいて除去し、等化後のOFDM信号を出力する。
【０３２１】
［送信装置１と受信装置２の動作］
ここで、以上のような構成を有する送信装置１と受信装置２の動作について説明する。
【０３２２】
・送信装置１の送信処理Ｃ
はじめに、図４４のフローチャートを参照して送信装置１の送信処理Ｃについて説明する。図４４の処理は、例えば外部からAVデータが入力されたときに開始される。
【０３２３】
ステップＳ３０１において、PSI/SI生成部１９は、セグメントNo.0乃至No.12の各セグメントによって伝送するTSに多重化される、波形整形情報を含むPSI/SIを生成する。PSI/SI生成部１９が生成するPSI/SIのNITには、波形整形情報を含むエリア型分配システム記述子や連結送信記述子が含まれる。
【０３２４】
ステップＳ３０２において、TS生成部１１−０乃至１１−１２は、それぞれ、外部から入力されたAVデータと、PSI/SI生成部１９により生成されたPSI/SIとを多重化することによってTSを生成する。
【０３２５】
ステップＳ３０３において、OFDMフレーム生成部１２−０乃至１２−１２は、それぞれOFDMフレームの信号を生成する。
【０３２６】
ステップＳ３０４において、IFFT入力割付部１４は、OFDMフレーム生成部１２−０乃至１２−１２により生成された各セグメントのOFDMフレームの信号をキャリアに割り付ける。
【０３２７】
ステップＳ３０５において、IFFT演算部１５は、１３セグメントのOFDMフレームの信号に対して一括してIFFT演算を施し、時間域のOFDM信号を生成する。
【０３２８】
ステップＳ３０６において、GI付加部１６は、時間域のOFDM信号を構成する各有効シンボルにGIを付加し、OFDMシンボルからなるOFDM信号を生成する。
【０３２９】
ステップＳ３０７において、波形整形部１０１は、GI付加部１６から供給されたOFDM信号に対して波形整形フィルタを用いた波形整形を施す。
【０３３０】
ステップＳ３０８において、送信部１７は、波形整形が施されたOFDM信号を図示せぬアンテナから送信する。
【０３３１】
以上の処理により、図３５に示すようにして電力が調整された１３セグメントのOFDM信号が連結送信によって送信されるとともに、PSI/SIによって、波形整形フィルタの種別が受信装置２に通知される。チャンネルの両端に近いセグメントの信号の電力が小さくなるように調整することによって、隣接チャンネルへの干渉を抑えることが可能になる。
【０３３２】
・受信装置２の受信処理Ｃ１
次に、図４５のフローチャートを参照して図４２の受信装置２の受信処理Ｃ１について説明する。図４５の処理は、当該セグメントのOFDM信号の電力を補正しないで復調等の処理を行うものである。
【０３３３】
ステップＳ３２１において、チューナ５１は、OFDM信号（RF信号）を受信し、IF信号に変換して復調部５２に出力する。
【０３３４】
ステップＳ３２２において、復調部５２は復調処理＃１１を行う。復調処理＃１１については図４６のフローチャートを参照して後述する。復調処理＃１１により得られた等化後のOFDM信号は復号部５３に供給される。
【０３３５】
ステップＳ３２３において、復号部５３は、等化後のOFDM信号に対して誤り訂正、デインタリーブ等の復号処理を施し、当該セグメントを用いて伝送されたTSをデマルチプレクサ５５に出力する。また、復号部５３は、復号処理によって得られたTMCC情報をTMCC情報解析部５４に出力する。
【０３３６】
ステップＳ３２４において、TMCC情報解析部５４はTMCC情報を解析し、適宜、TMCC情報に含まれる情報を制御部１２１に供給する。
【０３３７】
ステップＳ３２５において、デマルチプレクサ５５はAVデータとPSI/SIをTSから分離する。
【０３３８】
ステップＳ３２６において、PSI/SI解析部５７は、デマルチプレクサ５５によりTSから分離されたPSI/SIを解析し、NITに含まれるエリア型分配システム記述子または連結送信記述子から波形整形情報を取得する。図４５の処理においては当該セグメントのOFDM信号の電力の補正が行われない。PSI/SIから取得された波形整形情報は例えば破棄される。
【０３３９】
ステップＳ３２７において、復調部５２は復調処理＃１１を行う。ステップＳ３２７において行われる処理はステップＳ３２２において行われる処理と同じ処理である。ステップＳ３２７において復調処理＃１１が行われた後、復号処理等の以上の処理が繰り返し行われる。デマルチプレクサ５５によりTSから分離されたAVデータに対してはAVデコーダ５６によりデコードが行われ、ビデオデータとオーディオデータが外部に出力される。
【０３４０】
・復調処理＃１１
図４６のフローチャートを参照して、図４５のステップＳ３２２，Ｓ３２７において行われる復調処理＃１１について説明する。
【０３４１】
ステップＳ３４１において、図４３のA/D変換部７１は、チューナ５１から供給されたIF信号に対してA/D変換を施す。
【０３４２】
ステップＳ３４２において、直交復調部７２は直交復調を行うことによって時間域のOFDM信号を生成する。
【０３４３】
ステップＳ３４３において、電力補正部１３１は、電力を補正せずに、直交復調部７２から供給された当該セグメントの時間域のOFDM信号をそのままFFT演算部７３に出力する。
【０３４４】
ステップＳ３４４において、FFT演算部７３は時間域のOFDM信号に対してFFT演算を行い、周波数域のOFDM信号を生成する。
【０３４５】
ステップＳ３４５において、パイロット信号抽出部７４は、FFT演算部７３から供給された周波数域のOFDM信号から、当該セグメントのパイロット信号を抽出する。上隣接セグメントの下端のキャリアの信号が抽出され、CPとして用いられるようにしてもよい。
【０３４６】
ステップＳ３４６において、伝送路特性推定部７５は、パイロット信号抽出部７４により抽出されたパイロット信号に基づいて伝送路特性を推定する。
【０３４７】
ステップＳ３４７において、等化部７７は、FFT演算部７３から供給された周波数域のOFDM信号に含まれる伝送路歪みの成分を伝送路特性推定部７５により推定された伝送路特性に基づいて除去し、等化後の周波数域のOFDM信号を出力する。等化後の周波数域のOFDM信号が出力された後、図４５のステップＳ３２２，Ｓ３２７に戻り、それ以降の処理が行われる。
【０３４８】
送信装置１が送信する信号はOFDM信号である。OFDM変調方式は、マルチパスへの耐性が強いという性質を有する。波形整形フィルタを規定する上式（１）は、ｄサンプル期間のマルチパスを意図的に発生させているのと等化であるため、受信側では、送信側での波形整形に対して特段の処理を行わないでも、OFDM信号を受信することが可能となる。
【０３４９】
・受信装置２の受信処理Ｃ２
次に、図４７のフローチャートを参照して受信装置２の受信処理Ｃ２について説明する。図４７の処理は、波形整形フィルタの特性の逆特性を重畳することによって当該セグメントのOFDM信号の電力を補正し、等化等の処理を行うものである。
【０３５０】
ステップＳ３６１において、チューナ５１はOFDM信号（RF信号）を受信し、IF信号に変換して復調部５２に出力する。
【０３５１】
ステップＳ３６２において、制御部１２１は、受信中の当該セグメントのサブチャンネル情報を取得する。サブチャンネル情報は、チューナ５１の選局周波数により一意に特定される。
【０３５２】
ステップＳ３６３において、復調部５２は図４６の復調処理＃１１を行う。
【０３５３】
ステップＳ３６４において、復号部５３は、等化後のOFDM信号に対して復号処理を施し、TSをデマルチプレクサ５５に出力するとともに、TMCC情報をTMCC情報解析部５４に出力する。
【０３５４】
ステップＳ３６５において、TMCC情報解析部５４はTMCC情報を解析し、適宜、TMCC情報に含まれる情報を制御部１２１に出力する。
【０３５５】
ステップＳ３６６において、デマルチプレクサ５５はAVデータとPSI/SIをTSから分離する。
【０３５６】
ステップＳ３６７において、PSI/SI解析部５７は、デマルチプレクサ５５によりTSから分離されたPSI/SIを解析し、NITに含まれるエリア型分配システム記述子または連結送信記述子から波形整形情報を取得する。PSI/SI解析部５７により取得された波形整形情報は制御部１２１に供給される。
【０３５７】
ステップＳ３６８において、制御部１２１は、PSI/SI解析部５７から供給された波形整形情報に基づいて、送信側で用いられた波形整形フィルタの特性を特定する。また、制御部１２１は、波形整形フィルタの特性と、ステップＳ３６２において取得したサブチャンネル情報に基づいて、当該セグメントの信号に対する波形整形フィルタの特性の逆特性を特定し、逆特性を示す情報を復調部５２の電力補正部１３１に出力する。
【０３５８】
ステップＳ３６９において、復調部５２は復調処理＃１２を行う。復調処理＃１２については図４８のフローチャートを参照して後述する。ステップＳ３６９において復調処理＃１２が行われた後、復号処理等の以上の処理が繰り返し行われる。
【０３５９】
・復調処理＃１２
図４８のフローチャートを参照して、図４７のステップＳ３６９において行われる復調処理＃１２について説明する。
【０３６０】
ステップＳ３８１において、A/D変換部７１は、チューナ５１から供給されたIF信号に対してA/D変換を施す。
【０３６１】
ステップＳ３８２において、直交復調部７２は直交復調を行うことによって時間域のOFDM信号を生成する。
【０３６２】
ステップＳ３８３において、電力補正部１３１は、直交復調部７２から供給された当該セグメントのOFDM信号に対して、波形整形フィルタの特性の逆特性を重畳する。波形整形フィルタの特性の逆特性を重畳することにより、当該セグメントのOFDM信号の電力は、送信装置１により波形整形が行われる前の電力に戻される。電力補正部１３１は、電力補正後のOFDM信号をFFT演算部７３に出力する。
【０３６３】
ステップＳ３８４において、FFT演算部７３は、電力補正後の時間域のOFDM信号に対してFFT演算を行い、周波数域のOFDM信号を生成する。なお、電力補正部１３１をFFT演算部７３の後に配置した場合には、ステップＳ３８３の処理とステップＳ３８４の処理の順序は逆になる。
【０３６４】
ステップＳ３８５において、パイロット信号抽出部７４は、FFT演算部７３から供給された周波数域のOFDM信号から、当該セグメントのパイロット信号と、上隣接セグメントの下端のキャリアの信号を抽出する。
【０３６５】
ステップＳ３８６において、伝送路特性推定部７５は、パイロット信号抽出部７４により抽出された当該セグメントのパイロット信号と上隣接セグメントの下端のキャリアの信号に基づいて伝送路特性を推定する。
【０３６６】
ステップＳ３８７において、等化部７７は、FFT演算部７３から供給された周波数域のOFDM信号に含まれる伝送路歪みの成分を伝送路特性推定部７５により推定された伝送路特性に基づいて除去し、等化後の周波数域のOFDM信号を出力する。等化後の周波数域のOFDM信号が出力された後、図４７のステップＳ３６９に戻り、それ以降の処理が行われる。
【０３６７】
このように、当該セグメントの信号の電力と上隣接セグメントの信号の電力を補正して等化等の処理を行うことにより、当該セグメントのOFDM信号の復調処理等を正しく行うことが可能になる。なお、電力補正部１３１をFFT演算部７３の後に配置する場合においては、等化部７７とパイロット信号抽出部７４の分岐の後に配置しても良いし、分岐の前に配置しても構わない。また、分岐の後に配置した場合には、双方の経路に電力補正部１３１を配置しても良いし、パイロット信号抽出部７４の前にのみ配置し、等化部７７において、電力補正されたパイロット信号と電力補正前の復号信号と波形整形フィルタの特性の逆特性とを用いて等価しても良い。
【０３６８】
＜２−２．波形整形の情報をTMCC情報によって通知する例＞
次に、波形整形情報をTMCC情報によって通知する場合について説明する。
【０３６９】
波形整形情報の通知にTMCC情報が用いられることにより、受信装置２は、復号処理の前の復調処理の段階で波形整形情報を取得することができ、即応性を確保することが可能になる。
【０３７０】
［送信装置１の構成］
図４９は、波形整形情報をTMCC情報によって通知する場合の送信装置１の構成例を示すブロック図である。図４９に示す構成のうち、図３６の構成と同じ構成には同じ符号を付してある。
【０３７１】
図４９の送信装置１の構成は、電力制御部１８から出力された波形整形フィルタの種別の情報が、OFDMフレーム生成部１２−０乃至１２−１２と波形整形部１０１に供給される点で図３６の構成と異なる。重複する説明については適宜省略する。
【０３７２】
OFDMフレーム生成部１２−０乃至１２−１２は、それぞれ、電力制御部１８から供給された情報に基づいて波形整形情報を含むTMCC情報を生成する。また、OFDMフレーム生成部１２−０乃至１２−１２は、それぞれ、TS生成部１１−１乃至１１−１２から供給されたTS0乃至TS12のデータをセグメントNo.0乃至No.12によって伝送するためのOFDMフレームを生成する。各セグメントのOFDMフレームには、波形整形情報を含むTMCC情報が含まれる。
【０３７３】
OFDMフレーム生成部１２−０乃至１２−１２は、図１４の構成と同じ構成を有する。波形整形情報を含むTMCC情報はTMCC情報生成部３８により生成され、フレーム構成部３６によりOFDMフレームに含められる。
【０３７４】
なお、受信装置２は、図４２、図４３に示す構成と同じ構成を有する。
【０３７５】
［TMCC情報について］
波形整形情報は、例えば図２６を参照して説明したTMCC情報に含まれるリザーブの12ビットのうちの所定のビットに割り当てられる。
【０３７６】
図５０は、TMCC情報のB110の１ビットの意味の例を示す図である。この例においては、TMCC情報のB110の１ビットが波形整形情報として用いられている。
【０３７７】
B110が0であることは、波形整形フィルタを用いた波形整形が送信装置１において行われていることを示す。波形整形フィルタの特性の情報は、例えば既知の情報として受信装置２の制御部１２１に与えられている。
【０３７８】
また、B110が1であることは、波形整形フィルタを用いた波形整形が送信装置１において行われていないことを示す。
【０３７９】
図５１は、TMCC情報のB110とB111の２ビットの意味の例を示す図である。
【０３８０】
B110とB111が00であることは、波形整形フィルタ１を用いた波形整形が送信装置１において行われていることを示し、01であることは、波形整形フィルタ２を用いた波形整形が送信装置１において行われていることを示す。また、B110とB111が10であることは、波形整形フィルタ３を用いた波形整形が送信装置１において行われていることを示す。波形整形フィルタ１乃至３の特性の情報は、例えば既知の情報として受信装置２の制御部１２１に与えられている。
【０３８１】
B110とB111が11であることは、波形整形フィルタを用いた波形整形が送信装置１において行われていないことを示す。
【０３８２】
［送信装置１と受信装置２の動作］
ここで、波形整形情報がTMCC情報に含まれる場合の送信装置１と受信装置２の動作について説明する。
【０３８３】
・送信装置１の送信処理Ｄ
はじめに、図５２のフローチャートを参照して図４９の送信装置１の送信処理Ｄについて説明する。
【０３８４】
ステップＳ４０１において、PSI/SI生成部１９は、セグメントNo.0乃至No.12の各セグメントによって伝送するTSに多重化されるPSI/SIを生成する。
【０３８５】
ステップＳ４０２において、TS生成部１１−０乃至１１−１２は、それぞれ、外部から入力されたAVデータと、PSI/SI生成部１９により生成されたPSI/SIとを多重化することによってTSを生成する。
【０３８６】
ステップＳ４０３において、OFDMフレーム生成部１２−０乃至１２−１２はそれぞれOFDMフレーム生成処理を行う。OFDMフレーム生成処理については図５３のフローチャートを参照して後述する。OFDMフレーム生成処理により生成された各セグメントのOFDMフレームの信号はIFFT入力割付部１４に供給される。
【０３８７】
ステップＳ４０４において、IFFT入力割付部１４は、OFDMフレーム生成部１２−０乃至１２−１２により生成された各セグメントのOFDMフレームの信号をキャリアに割り付ける。
【０３８８】
ステップＳ４０５において、IFFT演算部１５は、１３セグメントのOFDMフレームの信号に対して一括してIFFT演算を施し、時間域のOFDM信号を生成する。
【０３８９】
ステップＳ４０６において、GI付加部１６は、時間域のOFDM信号を構成する各有効シンボルの先頭にGIを付加し、OFDMシンボルからなるOFDM信号を生成する。
【０３９０】
ステップＳ４０７において、波形整形部１０１は、GI付加部１６から供給されたOFDM信号に対して波形整形フィルタを用いた波形整形を施す。波形整形フィルタの特性は受信装置２にとって既知である。
【０３９１】
ステップＳ４０８において、送信部１７は、波形整形後のOFDM信号を図示せぬアンテナから送信する。
【０３９２】
以上の処理により、図３５に示すようにして電力が調整された１３セグメントのOFDM信号が連結送信によって送信される。チャンネルの両端に近いセグメントの信号の電力が小さくなるように調整することによって、隣接チャンネルへの干渉を抑えることが可能になる。
【０３９３】
・OFDMフレーム生成処理
次に、図５３のフローチャートを参照して、図５２のステップＳ４０３において行われるOFDMフレーム生成処理について説明する。OFDMフレーム生成部１２−０乃至１２−１２のそれぞれにおいて同様の処理が行われる。
【０３９４】
ステップＳ４２１において、外符号付加部３１は、TSの188バイト単位のデータに対して外符号を付加する。
【０３９５】
ステップＳ４２２において、階層分割部３２は、外符号が付加されたデータの階層分割を行う。
【０３９６】
ステップＳ４２３において、変調・符号化部３３は、各階層のデータ毎に、誤り訂正符号化、インタリーブ等のベースバンド処理を施すとともに、キャリア変調を行う。
【０３９７】
ステップＳ４２４において、階層合成部３４は、変調処理と符号化処理が施された各階層のデータの階層合成を行う。
【０３９８】
ステップＳ４２５において、インタリーブ処理部３５は、階層合成後のデータに対して時間インタリーブと周波数インタリーブを施す。
【０３９９】
ステップＳ４２６において、TMCC情報生成部３８は、波形整形情報である図５０または図５１のビットが所定のビットに割り当てられたTMCC情報を生成する。
【０４００】
ステップＳ４２７において、パイロット信号生成部３７はパイロット信号を生成する。
【０４０１】
ステップＳ４２８において、フレーム構成部３６は、インタリーブ処理部３５から供給されたデータ、パイロット信号生成部３７から供給されたパイロット信号、およびTMCC情報生成部３８から供給されたTMCC情報に基づいてOFDMフレームを生成する。その後、図５２のステップＳ４０３に戻り、それ以降の処理が行われる。
【０４０２】
・受信装置２の受信処理Ｄ１
次に、図５４のフローチャートを参照して図４２の受信装置２の受信処理Ｄ１について説明する。図５４の処理は、波形整形フィルタの特性の逆特性を重畳することによって当該セグメントのOFDM信号の電力を補正し、等化等の処理を行うものである。
【０４０３】
ステップＳ４４１において、チューナ５１はOFDM信号（RF信号）を受信し、IF信号に変換して復調部５２に出力する。
【０４０４】
ステップＳ４４２において、制御部１２１は、受信中の当該セグメントのサブチャンネル情報を取得する。サブチャンネル情報は、チューナ５１の選局周波数により一意に特定される。
【０４０５】
ステップＳ４４３において、復調部５２は図４６の復調処理＃１１を行う。
【０４０６】
ステップＳ４４４において、復号部５３は、等化後のOFDM信号に対して復号処理を施し、TSをデマルチプレクサ５５に出力するとともに、TMCC情報をTMCC情報解析部５４に出力する。
【０４０７】
ステップＳ４４５において、TMCC情報解析部５４はTMCC情報を解析し、波形整形情報を取得する。TMCC情報解析部５４により取得された波形整形情報は制御部１２１に供給される。
【０４０８】
ステップＳ４４６において、デマルチプレクサ５５はAVデータとPSI/SIをTSから分離する。
【０４０９】
ステップＳ４４７において、PSI/SI解析部５７は、デマルチプレクサ５５によりTSから分離されたPSI/SIを解析する。
【０４１０】
ステップＳ４４８において、制御部１２１は、TMCC情報解析部５４から供給された波形整形情報に基づいて、送信側で用いられた波形整形フィルタの特性を特定する。また、制御部１２１は、波形整形フィルタの特性と、ステップＳ４４２において取得したサブチャンネル情報に基づいて、当該セグメントの信号に対する波形整形フィルタの特性の逆特性を特定し、逆特性を示す情報を復調部５２の電力補正部１３１に出力する。
【０４１１】
例えば図５０のB110が波形整形情報として用いられている場合、B110が0であるときには、制御部１２１は、既知の特性を示す情報を電力補正部１３１に出力する。また、図５１のB110とB111が波形整形情報として用いられている場合、B110とB111が例えば00であるときには、制御部１２１は、波形整形フィルタ１の特性の逆特性を示す情報を電力補正部１３１に出力する。
【０４１２】
ステップＳ４４９において、復調部５２は図４８の復調処理＃１２を行う。ステップＳ４４９の復調処理＃１２においては、TMCC情報に含まれる波形整形情報に基づいて特定された波形整形フィルタの特性の逆特性が用いられ、電力の補正が行われる。
【０４１３】
このように、当該セグメントの信号の電力と上隣接セグメントの信号の電力を補正して等化等の処理を行うことにより、当該セグメントのOFDM信号の復調処理等を正しく行うことが可能になる。
【０４１４】
［変形例］
以上のように、電力の調整が波形整形によって行われる場合、電力の調整が各セグメントで行われる場合、もしくは、その両方の場合に、波形整形フィルタの特性に基づいて信頼性情報（CSI）の補正が行われるようにしてもよい。信頼性情報は、復調処理によって得られたデータの信頼性を示す情報である。
【０４１５】
電力の調整が波形整形によって行われる場合、例えば、制御部１２１は、特定した当該セグメントの信号に対する波形整形フィルタの特性に応じて、減衰量の大きいキャリアに対する信頼性をより小さくし、減衰量の小さいキャリアに対する信頼性をより大きくするように信頼性情報を補正する。制御部１２１は、補正した信頼性情報を復号部５３に出力し、信頼性情報を用いて誤り訂正処理を行わせる。これにより、復号部５３による誤り訂正の能力を改善させることができる。 
【０４１６】
一方、電力の調整が各セグメントで行われる場合、制御部１２１は、特定した当該セグメントの電力に応じて、減衰量の大きいセグメントのキャリアに対する信頼性をより小さくし、減衰量の小さいセグメントのキャリアに対する信頼性をより大きくするように信頼性情報を補正する。
【０４１７】
＜コンピュータの構成例＞
上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または汎用のパーソナルコンピュータなどに、プログラム記録媒体からインストールされる。
【０４１８】
図５５は、上述した一連の処理をプログラムにより実行するコンピュータのハードウェアの構成例を示すブロック図である。
【０４１９】
CPU(Central Processing Unit)３０１、ROM(Read Only Memory)３０２、RAM(Random Access Memory)３０３は、バス３０４により相互に接続されている。
【０４２０】
バス３０４には、さらに、入出力インタフェース３０５が接続されている。入出力インタフェース３０５には、キーボード、マウスなどよりなる入力部３０６、ディスプレイ、スピーカなどよりなる出力部３０７が接続される。また、入出力インタフェース３０５には、ハードディスクや不揮発性のメモリなどよりなる記憶部３０８、ネットワークインタフェースなどよりなる通信部３０９、リムーバブルメディア３１１を駆動するドライブ３１０が接続される。
【０４２１】
以上のように構成されるコンピュータでは、CPU３０１が、例えば、記憶部３０８に記憶されているプログラムを入出力インタフェース３０５及びバス３０４を介してRAM３０３にロードして実行することにより、上述した一連の処理が行われる。
【０４２２】
CPU３０１が実行するプログラムは、例えばリムーバブルメディア３１１に記録して、あるいは、ローカルエリアネットワーク、インターネット、デジタル放送といった、有線または無線の伝送媒体を介して提供され、記憶部３０８にインストールされる。
【０４２３】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０４２４】
本技術の実施の形態は、上述した実施の形態に限定されるものではなく、本技術の要旨を逸脱しない範囲において種々の変更が可能である。
【０４２５】
なお、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【符号の説明】
【０４４７】
１  送信装置，  ２  受信装置，  １１−０乃至１１−１２  TS生成部，  １２−０乃至１２−１２  OFDMフレーム生成部，  １３  電力調整部，  １４  IFFT入力割付部，  １５  IFFT演算部，  １６  GI付加部，  １７  送信部，  １８  電力制御部，  １９  PSI/SI生成部，  ３１  外符号付加部，  ３２  階層分割部，  ３３  変調・符号化部，  ３４  階層合成部，  ３５  インタリーブ処理部，  ３６  フレーム構成部，  ３７  パイロット信号生成部，  ３８  TMCC情報生成部，  ５１  チューナ，  ５２  復調部，  ５３  復号部，  ５４  TMCC情報解析部，  ５５  デマルチプレクサ，  ５６  AVデコーダ，  ５７  PSI/SI解析部，  ７１  A/D変換部，  ７２  直交復調部，  ７３  FFT演算部，  ７４  パイロット信号抽出部，  ７５  伝送路特性推定部，  ７６  電力補正部，  ７７  等化部
【図１】
0005867778.tif 000002
【図２】
0005867778.tif 000003
【図３】
0005867778.tif 000004
【図４】
0005867778.tif 000005
【図５】
0005867778.tif 000006
【図６】
0005867778.tif 000007
【図７】
0005867778.tif 000008
【図８】
0005867778.tif 000009
【図９】
0005867778.tif 000010
【図１０】
0005867778.tif 000011
【図１１】
0005867778.tif 000012
【図１２】
0005867778.tif 000013
【図１３】
0005867778.tif 000014
【図１４】
0005867778.tif 000015
【図１５】
0005867778.tif 000016
【図１６】
0005867778.tif 000017
【図１７】
0005867778.tif 000018
【図１８】
0005867778.tif 000019
【図１９】
0005867778.tif 000020
【図２０】
0005867778.tif 000021
【図２１】
0005867778.tif 000022
【図２２】
0005867778.tif 000023
【図２３】
0005867778.tif 000024
【図２４】
0005867778.tif 000025
【図２５】
0005867778.tif 000026
【図２６】
0005867778.tif 000027
【図２７】
0005867778.tif 000028
【図２８】
0005867778.tif 000029
【図２９】
0005867778.tif 000030
【図３０】
0005867778.tif 000031
【図３１】
0005867778.tif 000032
【図３２】
0005867778.tif 000033
【図３３】
0005867778.tif 000034
【図３４】
0005867778.tif 000035
【図３５】
0005867778.tif 000036
【図３６】
0005867778.tif 000037
【図３７】
0005867778.tif 000038
【図３８】
0005867778.tif 000039
【図３９】
0005867778.tif 000040
【図４０】
0005867778.tif 000041
【図４１】
0005867778.tif 000042
【図４２】
0005867778.tif 000043
【図４３】
0005867778.tif 000044
【図４４】
0005867778.tif 000045
【図４５】
0005867778.tif 000046
【図４６】
0005867778.tif 000047
【図４７】
0005867778.tif 000048
【図４８】
0005867778.tif 000049
【図４９】
0005867778.tif 000050
【図５０】
0005867778.tif 000051
【図５１】
0005867778.tif 000052
【図５２】
0005867778.tif 000053
【図５３】
0005867778.tif 000054
【図５４】
0005867778.tif 000055
【図５５】
0005867778.tif 000056